(57)【要約】  無線アクセスシステム（１００）は、端末（１１０）と、固定端末制御装置（１２０）とを有する。固定端末制御装置（１２０）は、識別部（１２１）と、制御部（１２２）とを有する。識別部（１２１）は、端末（１１０）のネットワーク（１３０）への接続を要求する接続要求を端末（１１０）から受け付けた場合に、端末（１１０）の位置情報に基づいて、端末（１１０）が、端末（１１０）の位置に所定期間変更のない固定端末であるか否かを識別する。制御部（１２２）は、識別部（１２１）によって端末（１１０）が固定端末であると識別された場合に、接続要求を所定の確率で拒否する。
2016084135.tif 000002
【特許請求の範囲】
【請求項１】
端末と、
前記端末のネットワークへの接続を要求する接続要求を前記端末から受け付けた場合に、前記端末の位置情報に基づいて、前記端末が、前記端末の位置に所定期間変更のない端末（以下「固定端末」と称する）であるか否かを識別し、前記端末が前記固定端末であると識別した場合に、前記接続要求を所定の確率で拒否する固定端末制御装置と、
を有することを特徴とする無線アクセスシステム。
【請求項２】
前記端末は、前記接続要求が拒否された場合に、再度、前記接続要求を行うことを特徴とする請求項１に記載の無線アクセスシステム。
【請求項３】
前記固定端末制御装置は、前記端末を管理するＨＳＳ（Ｈｏｍｅ  Ｓｕｂｓｃｒｉｂｅｒ  Ｓｅｒｖｅｒ）に含まれることを特徴とする請求項１または２に記載の無線アクセスシステム。
【請求項４】
前記固定端末制御装置は、前記端末を管理するＭＭＥ（Ｍｏｂｉｌｅ  Ｍａｎａｇｅｍｅｎｔ  Ｅｎｔｉｔｙ）に含まれることを特徴とする請求項１または２に記載の無線アクセスシステム。
【請求項５】
前記固定端末制御装置は、１つ以上の端末から前記ネットワークへの接続を要求する接続要求を所定期間内に受け付け、かつ前記接続要求を拒否しなかった回数が所定回数未満の場合に、前記固定端末であると識別した端末からの接続要求を拒否しないことを特徴とする請求項１〜４のいずれか一つに記載の無線アクセスシステム。
【請求項６】
前記固定端末制御装置は、１つ以上の端末から前記ネットワークへの接続を要求する接続要求を所定期間内に受け付け、かつ前記接続要求を拒否しなかった回数に応じた前記所定の確率で、前記固定端末であると識別した端末からの接続要求を拒否することを特徴とする請求項１〜４のいずれか一つに記載の無線アクセスシステム。
【請求項７】
前記固定端末制御装置は、１つ以上の端末から前記ネットワークへの接続を要求する接続要求を所定期間内に受け付けた回数が所定回数未満の場合に、前記固定端末であると識別した端末からの接続要求を拒否しないことを特徴とする請求項１〜４のいずれか一つに記載の無線アクセスシステム。
【請求項８】
前記固定端末制御装置は、１つ以上の端末から前記ネットワークへの接続を要求する接続要求を所定期間内に受け付けた回数に応じた前記所定の確率で、前記固定端末であると識別した端末からの接続要求を拒否することを特徴とする請求項１〜４のいずれか一つに記載の無線アクセスシステム。
【請求項９】
端末のネットワークへの接続を要求する接続要求を前記端末から受け付けた場合に、前記端末の位置情報に基づいて、前記端末が、前記端末の位置に所定期間変更のない端末（以下「固定端末」と称する）であるか否かを識別する識別部と、
前記識別部によって前記端末が前記固定端末であると識別された場合に、前記接続要求を所定の確率で拒否する制御部と、
を有することを特徴とする固定端末制御装置。
【発明の詳細な説明】
【技術分野】
【０００１】
本発明は、無線アクセスシステムおよび固定端末制御装置に関する。
【背景技術】
【０００２】
従来、端末がビーコン信号を用いて周辺の端末を検出し、同じ端末種別の端末数ｎのリストデータを作成し、１／ｎの割合でネットワーク側に位置を通知する位置登録方法がある（例えば、下記特許文献１参照。）。また、ネットワークの負荷情報の履歴を用いて、アクセス許可時間の間隔を端末に通知してアクセス許可時間以外にアクセス要求があった場合にネットワークのアタッチを拒否するアクセス方法がある（例えば、下記特許文献２参照。）。また、追加された新規ノードが動作するための設定情報を既存ノードから得るために、既存ノードの接続後に新規ノードが接続できるように、次回の接続時刻を新規ノードに通知する通信ノードがある（例えば、下記特許文献３参照。）。
【先行技術文献】
【特許文献】
【０００３】
【特許文献１】特開２０１３−２４７５８８号公報
【特許文献２】特開２０１３−２５８７０４号公報
【特許文献３】国際公開第２０１１／１２１９２１号
【発明の概要】
【発明が解決しようとする課題】
【０００４】
しかしながら、例えば、外部電源を用いる固定端末が複数配置される地域において停電が発生すると、該停電の解消時に、複数の固定端末からネットワークに接続するための接続要求が一斉にコア装置へ送信される。このため、固定端末をネットワークに接続させるためのシーケンスが集中し、ネットワークの輻輳が生じるという問題がある。【０００５】
本発明は、ネットワークの輻輳を抑えることを目的とする。
【課題を解決するための手段】
【０００６】
本発明の一側面によれば、端末のネットワークへの接続を要求する接続要求を前記端末から受け付けた場合に、前記端末の位置情報に基づいて、前記端末が、前記端末の位置に所定期間変更のない端末（以下「固定端末」と称する）であるか否かを識別し、前記端末が前記固定端末であると識別した場合に、前記接続要求を所定の確率で拒否する、無線アクセスシステムおよび固定端末制御装置が提案される。
【発明の効果】
【０００７】
本発明の一態様によれば、ネットワークの輻輳を抑えることができる。
【図面の簡単な説明】
【０００８】
【図１】図１は、実施の形態にかかる無線アクセスシステムおよび固定端末制御装置の一例を示す図である。
【図２】図２は、無線アクセスシステム１００の一例を示す図である。
【図３】図３は、ＨＳＳの構成例を示す説明図である。
【図４】図４は、ＭＭＥの構成例を示す説明図である。
【図５】図５は、位置登録判定部の構成例を示す説明図である。
【図６】図６は、コンピュータ装置のハードウェア構成の一例を示す図である。
【図７Ａ】図７Ａは、位置登録情報記憶部が記憶する登録情報の一例を示す説明図である。
【図７Ｂ】図７Ｂは、判定情報記憶部が記憶する登録情報の一例を示す説明図である。
【図８Ａ】図８Ａは、無線アクセスシステムが行う位置登録の一例を示すシーケンス図（その１）である。
【図８Ｂ】図８Ｂは、無線アクセスシステムが行う位置登録の一例を示すシーケンス図（その２）である。
【図９Ａ】図９Ａは、位置登録判定部が行う位置登録判定処理の一例を示すフローチャート（その１）である。
【図９Ｂ】図９Ｂは、位置登録判定部が行う位置登録判定処理の一例を示すフローチャート（その２）である。
【図１０Ａ】図１０Ａは、無線アクセスシステムが行う位置登録の変形例を示すシーケンス図（その１）である。
【図１０Ｂ】図１０Ｂは、無線アクセスシステムが行う位置登録の変形例を示すシーケンス図（その２）である。
【発明を実施するための形態】
【０００９】
以下に図面を参照して、開示技術の好適な実施の形態を詳細に説明する。
【００１０】
（実施の形態）
（実施の形態にかかる無線アクセスシステムおよび固定端末制御装置の一例）
図１は、実施の形態にかかる無線アクセスシステムおよび固定端末制御装置の一例を示す図である。図１において、無線アクセスシステム１００は、端末１１０と、固定端末制御装置１２０と、を有する。端末１１０は、移動端末および固定端末を含む。
【００１１】
端末１１０のうち、例えば、人が操作することなく自律的に情報（データ）を送受信する通信機能を持った機器は、Ｍ２Ｍ（Ｍａｃｈｉｎｅ  ｔｏ  Ｍａｃｈｉｎｅ）機器と呼ばれる。Ｍ２Ｍ機器は、近年、その数が増大しつつあり、今後は莫大な数になることが予測されている。Ｍ２Ｍ機器は、移動端末と固定端末とに分類することができる。
【００１２】
移動端末は、例えば、車両や人などの移動体に設けられる通信機器である。固定端末は、例えば、自動販売機、映像監視カメラ、スマートメータなどの移動性の低い機器（例えば固定配置される機器）に設けられる通信機器である。そのような固定端末は、所定の土地・建物などに固定的に付着した定着物であってもよいし、所定の土地・建物などに付着せずに移動可能な状態で据え置かれた物であってもよい。
【００１３】
これらのＭ２Ｍ機器は、有線回線ではなく無線回線が用いられる。例えば、有線回線の場合、機器間を有線接続するための工事を要するが、無線回線の場合、工事が不要である。また、無線回線には、既存の３Ｇ（Ｇｅｎｅｒａｔｉｏｎ）や４Ｇの移動通信システムや、Ｗｉ−Ｆｉ（Ｗｉｒｅｌｅｓｓ  Ｆｉｄｅｌｉｔｙ）（Ｗｉ−Ｆｉは登録商標）などが用いられる。そのため、３ＧＰＰ（３ｒｄ  Ｇｅｎｅｒａｔｉｏｎ  Ｐａｒｔｎｅｒｓｈｉｐ  Ｐｒｏｊｅｃｔ）においても、Ｍ２Ｍ機器を盛り込む検討が行われている。
【００１４】
Ｍ２Ｍ機器は、３ＧＰＰにおいて、ＭＴＣ（Ｍａｃｈｉｎｅ  Ｔｙｐｅ  Ｃｏｍｍｕｎｉｃａｔｉｏｎ）として定義されている。現状の３ＧＰＰでは、Ｒｅｌｅａｓｅ１１によって、端末１１０の識別としてＭＴＣが新たに定義され、ＳＩＢ（Ｓｙｓｔｅｍ  Ｉｎｆｏｒｍａｔｉｏｎ  Ｂｌｏｃｋ）１４での報知情報の通知方法などがある。
【００１５】
ところが、現状の３ＧＰＰでは、固定端末は定義されておらず、つまり、固定端末を識別することができない。そこで、本実施の形態では、端末の位置情報を用いて端末の位置が一定期間不変の端末を固定端末として識別する。
【００１６】
また、固定端末は、例えば、バッテリなどの内部電源を備えておらず、外部から給電を受けるため、例えば、停電時には外部からの給電を受けることができず、電源が落ちる。そして、停電が解消すると、その地域の複数の固定端末は一斉に起動し、これらの固定端末から、ネットワークに接続するための接続要求が一斉にコア装置へ送信される。このため、固定端末をネットワークに接続させるためのシーケンスが集中し、ネットワークの輻輳が生じる。
【００１７】
そこで、本実施の形態では、無線アクセスシステム１００の固定端末制御装置１２０は、位置が一定期間不変の端末１１０を、外部電源を用いる固定端末とみなし、固定端末からネットワーク１３０への接続要求を所定の確率で拒否する。これにより、停電後の外部電源の復旧時に、端末１１０をネットワーク１３０に接続する処理を分散させ、ネットワーク１３０の輻輳を抑えることができる。
【００１８】
図１に示す端末１１０は、例えば、起動時など、ネットワーク１３０への接続を要求する接続要求を固定端末制御装置１２０に対して行う。また、端末１１０は、起動時に限らず、例えば、ユーザの操作入力などに基づいて、ネットワーク１３０への接続要求を固定端末制御装置１２０に対して行う。
【００１９】
固定端末制御装置１２０は、識別部１２１と、制御部１２２と、を有する。識別部１２１は、端末１１０から接続要求を受け付けた場合に、端末１１０の位置情報に基づいて、端末１１０が、端末１１０の位置に所定期間変更のない固定端末であるか否かを識別する。位置情報は、例えば、端末１１０が収容される基地局の位置登録エリアを示す情報であるが、これに限らず、端末１１０が位置する座標や地点を示す情報や、位置登録エリアとは異なるエリアを示す情報や、セルを示す情報などとしてもよい。
【００２０】
識別部１２１は、端末１１０の位置登録エリアを示す情報に所定期間変更がない場合に固定端末と識別する。そのため、端末１１０が移動端末であったとしても、端末１１０の位置登録エリアを示す情報に所定期間変更がない場合には、移動端末を固定端末と識別する。所定期間は、任意の期間を設定することができる。所定期間を長く設定するほど、移動端末を固定端末として識別する際の識別の精度を向上させることができる。
【００２１】
制御部１２２は、識別部１２１によって端末１１０が固定端末であると識別された場合に、接続要求を所定の確率で拒否する。接続要求を拒否するとは、端末１１０のネットワーク１３０への接続を行わないことであり、例えば、接続要求を無視することである。所定の確率とは、任意の確率である。これにより、停電後の外部電源の復旧時に、端末１１０をネットワーク１３０に接続する処理を分散させ、ネットワーク１３０の輻輳を抑えることができる。
【００２２】
また、端末１１０は、固定端末制御装置１２０によって接続要求が拒否された場合に、固定端末制御装置１２０に対して、再度、接続要求を行う。また、制御部１２２は、接続要求を拒否した場合に、接続要求を拒否したことを示す信号を端末１１０へ送信してもよい。例えば、固定端末制御装置１２０が接続要求を拒否した場合に接続要求を拒否したことを示す信号を送信する構成としたとすると、端末１１０は、固定端末制御装置１２０から当該信号を受信した後に、再度、接続要求を行えばよい。当該信号を受信した後とは、例えば、当該信号の受信直後でもよいし、当該信号の受信後の所定期間経過後でもよい。
【００２３】
また、制御部１２２が接続要求を拒否した場合に接続要求を拒否したことを示す信号を送信しない構成としたとすると、端末１１０は、接続要求後の所定期間経過時にネットワーク１３０に接続できていない場合に、再度、接続要求を行えばよい。このように、再度、接続要求を行うことにより、ネットワーク１３０への接続が拒否された端末１１０についても、ネットワーク１３０に接続することができる。
【００２４】
また、制御部１２２は、１つ以上の端末１１０からネットワーク１３０への接続を要求する接続要求を所定期間内に受け付け、かつ該接続要求を拒否しなかった回数が所定回数未満の場合に、固定端末であると識別された端末１１０からの接続要求を拒否しない。例えば、固定端末制御装置１２０は、１つの端末１１０から所定期間内に複数回の接続要求を受け付けることもある。
【００２５】
接続要求を拒否しなかったとは、端末１１０をネットワーク１３０に接続させたことである。接続要求を拒否しなかった回数が所定回数未満の場合とは、例えば、固定端末をネットワーク１３０に接続するためのシーケンスが集中していない場合である。そのため、制御部１２２は、固定端末をネットワーク１３０に接続するためのシーケンスが集中していない場合には、識別部１２１によって固定端末であると識別された端末１１０からの接続要求を拒否しない。
【００２６】
一方で、制御部１２２は、接続要求を拒否しなかった回数が所定回数以上の場合に、識別部１２１によって固定端末であると識別された端末１１０からの接続要求を拒否する。接続要求を拒否しなかった回数が所定回数以上の場合とは、固定端末をネットワーク１３０に接続するためのシーケンスが集中している場合である。
【００２７】
そのため、固定端末制御装置１２０は、固定端末をネットワーク１３０に接続するためのシーケンスが集中している場合には、識別部１２１によって固定端末であると識別された端末１１０からの接続要求を拒否することができる。
【００２８】
また、制御部１２２は、１つ以上の端末１１０からネットワーク１３０への接続を要求する接続要求を所定期間内に受け付け、かつ該接続要求を拒否しなかった回数に応じた所定の確率で、固定端末であると識別された端末１１０からの接続要求を拒否する。例えば、制御部１２２は、接続要求を拒否しなかった回数が多いほど、接続要求を拒否する確率を高くすればよい。
【００２９】
例えば、接続要求を拒否しなかった回数が、１００回の場合は接続要求を拒否する確率（所定の確率）を１０％にし、２００回の場合は接続要求を拒否する確率を２０％にし、５００回の場合は接続要求を拒否する確率を５０％にしてもよい。これにより、固定端末をネットワーク１３０に接続するためのシーケンスの集中する度合いに応じた確率で、識別部１２１によって固定端末であると識別された端末１１０からの接続要求を拒否することができる。
【００３０】
また、制御部１２２は、１つ以上の端末１１０からネットワーク１３０への接続を要求する接続要求を所定期間内に受け付けた回数が所定回数未満の場合に、識別部１２１によって固定端末であると識別された端末１１０からの接続要求を拒否しない。接続要求を所定期間内に受け付けた回数が所定回数未満の場合とは、例えば、停電からの電源復旧時を除く通常時のように接続要求が少ない場合である。そのため、制御部１２２は、通常時の接続要求が少ない場合には、識別部１２１によって固定端末であると識別された端末１１０からの接続要求を拒否しない。
【００３１】
一方で、制御部１２２は、１つ以上の端末１１０からネットワーク１３０への接続を要求する接続要求を所定期間内に受け付けた回数が所定回数以上の場合に、識別部１２１によって固定端末であると識別された端末１１０からの接続要求を拒否する。接続要求を所定期間内に受け付けた回数が所定回数以上の場合とは、停電からの電源復旧時のように接続要求が多い場合である。
【００３２】
そのため、固定端末制御装置１２０は、停電からの電源復旧時の接続要求が多い場合には、識別部１２１によって固定端末であると識別された端末１１０からの接続要求を拒否することができる。
【００３３】
また、制御部１２２は、１つ以上の端末１１０からネットワーク１３０への接続を要求する接続要求を所定期間内に受け付けた回数に応じた所定の確率で、識別部１２１によって固定端末であると識別された端末１１０からの接続要求を拒否してもよい。例えば、制御部１２２は、所定期間内に接続要求を受け付けた回数が多いほど、接続要求を拒否する確率を高くすればよい。
【００３４】
例えば、所定期間内に接続要求を受け付けた回数が、１００回の場合は接続要求を拒否する確率を１０％にし、２００回の場合は接続要求を拒否する確率を２０％にし、５００回の場合は接続要求を拒否する確率を５０％にしてもよい。これにより、停電からの電源復旧時の接続要求の数に応じた確率で、識別部１２１によって固定端末であると識別された端末１１０からの接続要求を拒否することができる。
【００３５】
（無線アクセスシステムの一例）
図２は、無線アクセスシステム１００の一例を示す図である。図２に示すように無線アクセスシステム１００は、ｅＮｏｄｅＢ（ｅｖｏｌｖｅｄ  Ｎｏｄｅ  Ｂ）２０１と、ＮｏｄｅＢ２０２と、ＭＭＥ（Ｍｏｂｉｌｅ  Ｍａｎａｇｅｍｅｎｔ  Ｅｎｔｉｔｙ）２０３と、を有する。また、無線アクセスシステム１００は、ＨＳＳ（Ｈｏｍｅ  Ｓｕｂｓｃｒｉｂｅｒ  Ｓｅｒｖｅｒ）２０４と、ＲＮＣ（Ｒａｄｉｏ  Ｎｅｔｗｏｒｋ  Ｃｏｎｔｒｏｌｌｅｒ）２０５と、を有する。
【００３６】
また、無線アクセスシステム１００は、ＳＧＳＮ（Ｓｅｒｖｉｎｇ  ＧＰＲＳ（Ｇｅｎｅｒａｌ  Ｐａｃｋｅｔ  Ｒａｄｉｏ  Ｓｅｒｖｉｃｅ）  Ｓｕｐｐｏｒｔ  Ｎｏｄｅ）２０６と、Ｓ−ＧＷ（Ｓｅｒｖｉｎｇ−Ｇａｔｅ  Ｗａｙ）２０７と、を有する。また、無線アクセスシステム１００は、ＰＣＲＦ（Ｐｏｌｉｃｙ  ａｎｄ  Ｃｈａｒｇｉｎｇ  Ｒｕｌｅ  Ｆｕｎｃｔｉｏｎ）２０８と、Ｐ−ＧＷ（Ｐａｃｋｅｔ  Ｄａｔａ  Ｎｅｔｗｏｒｋ−ＧＷ）２０９と、端末装置２２０と、を有する。
【００３７】
図２に示すように、端末装置２２０は、スマートフォンなどの移動端末と、自動販売機やスマートメータなどに設けられた固定端末とを含む。端末装置２２０は、例えば、図１に示した端末１１０に相当する。例えば、端末装置２２０は、電源がＯＮになったときに、端末装置２２０のネットワークへの接続を要求するためのアタッチ要求信号をＭＭＥ２０３へ送信する。
【００３８】
ｅＮｏｄｅＢ２０１は、ＬＴＥ（Ｌｏｎｇ  Ｔｅｒｍ  Ｅｖｏｌｕｔｉｏｎ）方式の無線通信に対応した無線基地局であり、端末装置２２０を収容する。ｅＮｏｄｅＢ２０１は、ＭＭＥ２０３との間で制御データを送受し、Ｓ−ＧＷ２０７との間でユーザデータを送受する。
【００３９】
ＮｏｄｅＢ２０２は、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）の無線基地局であり、端末装置２２０を収容する。ＮｏｄｅＢ２０２は、ＲＮＣ２０５との間で、制御データおよびユーザデータを送受する。
【００４０】
ＭＭＥ２０３は、ｅＮｏｄｅＢ２０１を収容し、端末装置２２０の移動管理、認証（セキュリティ制御）およびユーザデータの転送経路の設定を行う。例えば、ＭＭＥ２０３は、端末装置２２０の位置登録や、呼出や、ｅＮｏｄｅＢ２０１間のハンドオーバなどの管理を行う。ＭＭＥ２０３は、ｅＮｏｄｅＢ２０１や、ＨＳＳ２０４や、Ｓ−ＧＷ２０７との間で制御データを送受する。
【００４１】
また、例えば、ＭＭＥ２０３は、ＨＳＳ２０４から受信した認証情報を基にユーザ認証を行い、ＨＳＳ２０４からベアラ設定に必要な契約情報を受信して管理する。ＭＭＥ２０３は、端末装置２２０から送信された接続先の情報を基に、ＤＮＳ（Ｄｏｍａｉｎ  Ｎａｍｅ  Ｓｙｓｔｅｍ）によりベアラ設定先のＳ−ＧＷ２０７およびＰ−ＧＷ２０９を選択する。ＭＭＥ２０３は、選択したＳ−ＧＷ２０７に対して、ベアラ設定要求信号を送信する。
【００４２】
ＨＳＳ２０４は、加入者情報を管理するサーバを有し、ユーザの位置情報（位置登録エリア）の管理、認証、サービスの起動状態の管理などを行う。例えば、ＨＳＳ２０４は、端末装置２２０の電話番号や端末識別番号や認証情報などのユーザ情報を管理する。ＨＳＳ２０４は、ＭＭＥ２０３や、ＳＧＳＮ２０６との間で制御データを送受する。ＭＭＥ２０３およびＨＳＳ２０４を用いることにより、３．９Ｇまたは４Ｇの通信を行うことができる。
【００４３】
ＲＮＣ２０５は、３Ｇの無線設備装置であり、ＮｏｄｅＢ２０２を制御する。ＲＮＣ２０５は、ＮｏｄｅＢ２０２やＳＧＳＮ２０６との間で、制御データおよびユーザデータを送受する。
【００４４】
ＳＧＳＮ２０６は、３Ｇ無線アクセスにおける端末装置２２０の移動管理や認証（セキュリティ制御）などを行う。ＳＧＳＮ２０６は、例えば、プロトコル情報やＩＰ（Ｉｎｔｅｒｎｅｔ  Ｐｒｏｔｏｃｏｌ）アドレスなどの情報を制御する。ＳＧＳＮ２０６は、ＲＮＣ２０５との間で制御データおよびユーザデータを送受し、ＨＳＳ２０４との間で制御データを送受し、Ｓ−ＧＷ２０７との間でユーザデータを送受する。ＲＮＣ２０５およびＳＧＳＮ２０６を用いることにより、３Ｇの通信を行うことができる。
【００４５】
Ｓ−ＧＷ２０７は、ユーザデータを中継するノードである。Ｓ−ＧＷ２０７は、ユーザデータを伝送する装置である。例えば、Ｓ−ＧＷ２０７は、ｅＮｏｄｅＢ２０１やＳＧＳＮ２０６やＰ−ＧＷ２０９との間でユーザデータを送受し、ＭＭＥ２０３やＰＣＲＦ２０８との間で制御データを送受する。
【００４６】
また、Ｓ−ＧＷ２０７は、ベアラ設定要求信号に設定されたＰ−ＧＷ２０９に対して、ベアラ設定処理を実施する。Ｓ−ＧＷ２０７は、Ｓ−ＧＷ２０７とＰ−ＧＷ２０９との間のベアラの設定が完了すると、ｅＮｏｄｅＢ２０１向けの伝達情報をＭＭＥ２０３へ通知する。
【００４７】
ＰＣＲＦ２０８は、サービスに応じた優先制御や課金のルールを設定する。ＰＣＲＦ２０８は、Ｓ−ＧＷ２０７、Ｐ−ＧＷ２０９およびＰＤＮ（Ｐａｃｋｅｔ  Ｄａｔａ  Ｎｅｔｗｏｒｋ）２１０との間で制御データを送受する。
【００４８】
Ｐ−ＧＷ２０９は、外部ネットワークと接続するゲートウエイである。また、Ｐ−ＧＷ２０９は、Ｓ−ＧＷ２０７およびＰＤＮ２１０との間でユーザデータを送受し、ＰＣＲＦ２０８との間で制御データを送受する。例えば、Ｐ−ＧＷ２０９は、ＰＣＲＦ２０８と連携し、適用すべき課金情報を取得し、さらに、ＰＤＮ２１０への接続処理を実施する。
【００４９】
無線アクセスシステム１００では、端末装置２２０の電源がＯＮになると、端末装置２２０は、動作に最低限必要な認証や位置登録などを行うために、アタッチ要求信号をＭＭＥ２０３へ送信し、Ｓ−ＧＷ２０７とＰ−ＧＷ２０９との間のベアラを設定する。これにより、起動時などに、端末装置２２０をＰＤＮ２１０に接続することができる。
【００５０】
端末装置２２０のネットワークへの接続に際しては、例えば、ＨＳＳ２０４における、端末装置２２０の位置情報（位置登録エリア）の記憶や、ネットワークに接続するためのコア装置（ＨＳＳ２０４やＳ−ＧＷ２０７等）間でのシーケンスが行われる。以下の説明においては、端末装置２２０のネットワークへの接続を、端末１１０の位置情報の記憶およびコア装置間でのシーケンスを含めた「位置登録」という。また、接続要求を「位置登録要求」という。コア装置間でのシーケンスを「位置登録シーケンス」という。
【００５１】
また、以下の説明においては、ＭＭＥ２０３およびＨＳＳ２０４による３．９Ｇまたは４Ｇについて説明する。
【００５２】
（ＨＳＳの構成例）
図３は、ＨＳＳの構成例を示す説明図である。図３に示すように、ＨＳＳ２０４は、インタフェース管理部３０１と、受信データ処理部３０２と、情報処理部３０３と、ユーザ情報管理部３０４と、認証部３０５と、サービス制御部３０６と、送信データ処理部３０７と、ユーザ情報記憶部３０８と、を有する。
【００５３】
インタフェース管理部３０１は、ＭＭＥ２０３や位置登録判定部３２０との間でデータを送受するインタフェースを管理する。位置登録判定部３２０は、位置が一定期間不変の端末装置２２０を固定端末とみなし、固定端末からネットワークへの位置登録要求を所定の確率で拒否する。図１に示した固定端末制御装置１２０は、例えば、位置登録判定部３２０によって実現することができる。
【００５４】
例えば、位置登録判定部３２０は、ＨＳＳ２０４に含まれる。そのため、図３に示すＨＳＳ２０４の各機能は、位置登録判定部３２０の機能を除いた機能を示している。ただし、位置登録判定部３２０は、ＨＳＳ２０４に含ませずに、位置登録判定部３２０から独立した装置とすることも可能であるし、後述の変形例に示すようにＭＭＥ２０３に含ませることも可能である。
【００５５】
インタフェース管理部３０１は、ＭＭＥ２０３や位置登録判定部３２０から受信した信号を受信データ処理部３０２へ出力する。受信データ処理部３０２は、インタフェース管理部３０１から入力した信号の受信処理を行い、受信処理を行った信号を情報処理部３０３へ出力する。情報処理部３０３は、例えば、受信データ処理部３０２から入力した信号を用いて各種処理を行い、各種処理を行った信号をユーザ情報管理部３０４、認証部３０５およびサービス制御部３０６へ出力する。
【００５６】
ユーザ情報記憶部３０８は、端末装置２２０の、電話番号、端末識別番号、契約情報、認証情報、位置情報などの、ユーザ情報を記憶する。ユーザ情報管理部３０４は、例えば、情報処理部３０３から出力された信号が示す端末装置２２０の情報と、ユーザ情報記憶部３０８に記憶されるユーザ情報とを用いて、端末装置２２０毎のユーザの登録内容を確認する。ユーザ情報管理部３０４は、例えば、確認した内容を情報処理部３０３へ出力する。
【００５７】
認証部３０５は、例えば、情報処理部３０３から出力された信号が示す端末装置２２０の情報と、ユーザ情報記憶部３０８に記憶されるユーザ情報とを用いて、端末装置２２０の認証を行う。認証部３０５は、認証結果を情報処理部３０３へ出力する。
【００５８】
サービス制御部３０６は、例えば、情報処理部３０３から出力された信号が示す端末装置２２０の情報を用いて、ユーザ情報記憶部３０８に記憶されるユーザ情報の中から、端末装置２２０毎のベアラ設定に必要な契約情報等を取得する。また、サービス制御部３０６は、例えば、端末装置２２０毎のベアラ設定に必要な契約情報を情報処理部３０３へ出力する。
【００５９】
情報処理部３０３は、ユーザ情報管理部３０４、認証部３０５およびサービス制御部３０６から出力された情報に基づいて、各種処理を行い、各種処理を行った信号を送信データ処理部３０７へ出力する。送信データ処理部３０７は、情報処理部３０３から入力した信号を送信するための送信処理を行って、送信処理を行った信号をインタフェース管理部３０１へ出力する。インタフェース管理部３０１は、送信データ処理部３０７から出力された信号をＭＭＥ２０３や位置登録判定部３２０へ出力する。
【００６０】
（ＭＭＥの構成例）
図４は、ＭＭＥの構成例を示す説明図である。図４に示すように、ＭＭＥ２０３は、インタフェース管理部４０１と、受信データ処理部４０２と、情報処理部４０３と、モビリティ情報制御部４０４と、ｅＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）制御部４０５と、を有する。また、ＭＭＥ２０３は、ハンドオーバ処理部４０６と、音声サービスサポート部４０７と、認証・秘匿部４０８と、送信データ処理部４０９と、モビリティ情報記憶部４１０と、基地局管理情報記憶部４１１と、認証・秘匿情報記憶部４１２と、を有する。
【００６１】
インタフェース管理部４０１は、ＨＳＳ２０４との間でデータを送受するインタフェースを管理する。インタフェース管理部４０１は、ＨＳＳ２０４から受信した信号を受信データ処理部４０２へ出力する。受信データ処理部４０２は、インタフェース管理部４０１から入力した信号の受信処理を行い、受信処理を行った信号を情報処理部４０３へ出力する。
【００６２】
情報処理部４０３は、受信データ処理部４０２から入力した信号を用いて各種処理を行い、各種処理を行った信号をモビリティ情報制御部４０４、ハンドオーバ処理部４０６、ｅＵＴＲＡＮ制御部４０５および音声サービスサポート部４０７などへ出力する。
【００６３】
モビリティ情報記憶部４１０は、例えば、ｅＮｏｄｅＢ２０１間において端末装置２２０のシームレスな移動を行うためのモビリティ情報を記憶する。モビリティ情報制御部４０４は、例えば、情報処理部４０３から出力された信号が示すベアラ設定に必要な契約情報と、モビリティ情報制御部４０４に記憶される情報とに基づいて、端末装置２２０が移動しても通信を継続させることができる。
【００６４】
基地局管理情報記憶部４１１は、例えば、ｅＮｏｄｅＢ２０１の情報を記憶する。ｅＮｏｄｅＢ２０１の情報は、例えば、Ｅ−ＵＴＲＡＮ  Ｃｅｌｌ  Ｇｌｏｂａｌ  ＩＤ（Ｉｄｅｎｔｉｆｉｃａｔｉｏｎ）（ＥＣＧＩ）などのｅＮｏｄｅＢ２０１のＩＤ番号などがある。ｅＵＴＲＡＮ制御部４０５は、例えば、情報処理部４０３から出力された信号が示す情報と、基地局管理情報記憶部４１１に記憶される情報とを用いて、ＬＴＥの接続を制御する。ｅＵＴＲＡＮ制御部４０５は、ＬＴＥの接続を制御する情報をハンドオーバ処理部４０６へ出力する。
【００６５】
ハンドオーバ処理部４０６は、例えば、情報処理部４０３から出力された信号が示す情報と、モビリティ情報記憶部４１０に記憶される情報と、ｅＵＴＲＡＮ制御部４０５からの情報と、を用いて、ハンドオーバ処理を行う。
【００６６】
また、音声サービスサポート部４０７は、例えば、情報処理部４０３から出力された信号が示す情報と、基地局管理情報記憶部４１１に記憶される情報とを用いて、音声サービスを行う。認証・秘匿情報記憶部４１２は、認証・秘匿情報を記憶する。また、認証・秘匿部４０８は、例えば、情報処理部４０３から出力された信号が示すＨＳＳ２０４からの認証情報と、認証・秘匿情報記憶部４１２に記憶される認証・秘匿情報とを用いて、ユーザ認証等のセキュリティの制御を行う。
【００６７】
情報処理部４０３は、例えば、各部４０４〜４０８から出力された情報に基づいて、各種処理を行い、各種処理を行った信号を送信データ処理部４０９へ出力する。送信データ処理部４０９は、情報処理部４０３から入力した信号を送信するための送信処理を行って、送信処理を行った信号をインタフェース管理部４０１へ出力する。インタフェース管理部４０１は、送信データ処理部４０９から出力された信号をＨＳＳ２０４へ出力する。
【００６８】
（位置登録判定部の構成例）
図５は、位置登録判定部の構成例を示す説明図である。図５に示すように、位置登録判定部３２０は、インタフェース管理部５０１と、受信データ処理部５０２と、時刻管理処理部５０３と、位置登録判定処理部５０４と、閾値管理部５０６と、位置登録履歴情報処理部５０５と、送信データ処理部５０７と、を有する。また、位置登録判定部３２０は、位置登録情報記憶部５１１と、判定情報記憶部５１２と、閾値記憶部５１３と、時計５１４と、を有する。
【００６９】
位置登録判定部３２０は、例えば、ＨＳＳ２０４に含まれる。そのため、図５に示すＨＳＳ２０４は、ＨＳＳ２０４の位置登録判定部３２０の機能を除いたＨＳＳ２０４本来の機能部（図５の説明においては「ＨＳＳ機能部」と称する）を示している。インタフェース管理部５０１は、ＨＳＳ機能部との間でデータを送受するインタフェースを管理する。インタフェース管理部５０１は、ＨＳＳ機能部から受信した信号を受信データ処理部５０２へ出力する。例えば、インタフェース管理部５０１は、ＨＳＳ機能部を介して、端末装置２２０からのアタッチ要求を受信する。
【００７０】
受信データ処理部５０２は、インタフェース管理部５０１から入力した信号の受信処理を行う。例えば、受信データ処理部５０２は、アタッチ要求に含まれる、端末装置２２０の端末番号や、端末装置２２０の位置情報（位置登録エリアを示す位置番号）を抽出する受信処理を行う。受信データ処理部５０２は、受信処理を行った信号を位置登録判定処理部５０４へ出力する。また、時刻管理処理部５０３は、時計５１４から現在時刻を示す信号を取得し、取得した信号を位置登録判定処理部５０４へ送信する。
【００７１】
位置登録判定処理部５０４は、受信データ処理部５０２から受信した信号や、時刻管理処理部５０３から受信した信号などを用いて、位置登録を行うか否かを判定する。なお、上述したように、位置登録とは、例えばＨＳＳ２０４における端末装置２２０の位置情報の記憶と、コア装置（ＨＳＳ２０４やＳ−ＧＷ２０７等）間での位置登録シーケンスと、を含む。
【００７２】
位置登録の判定には、受信データ処理部５０２からの端末番号や位置情報や、時刻管理処理部５０３からの現在時刻のほか、判定情報記憶部５１２に記憶される情報、位置登録履歴情報処理部５０５や閾値管理部５０６からの情報、などが用いられる。
【００７３】
例えば、判定情報記憶部５１２に記憶される情報には、単位時間（所定期間）当たりの位置登録件数５２１や現在拒否判定値５２２がある。位置登録件数５２１は、例えば、単位時間内に位置登録を行った数である。現在拒否判定値５２２は、例えば、所定期間内に位置登録を拒否した確率である。
【００７４】
また、位置登録履歴情報処理部５０５が位置登録判定処理部５０４へ出力する情報には、位置登録情報記憶部５１１に記憶される位置登録情報が含まれる。位置登録情報には、端末装置２２０の端末番号や、端末装置２２０が位置するエリアを示す位置番号、最新登録日時、最古登録日時、などが含まれる。位置登録履歴情報処理部５０５は、位置登録情報記憶部５１１に記憶される位置登録情報の書き込みや読み出しを行い、読み出した情報を位置登録判定処理部５０４へ出力する。
【００７５】
閾値管理部５０６が位置登録判定処理部５０４へ出力する情報には、閾値記憶部５１３に記憶される情報（閾値）が含まれる。閾値記憶部５１３は、移動なし判定閾値５３１と、単位時間当たりの位置登録規定数５３２と、拒否判定閾値５３３と、を記憶する。
【００７６】
移動なし判定閾値５３１は、例えば、端末装置２２０の位置情報が示す位置に所定期間変更のない固定端末であるか否かを判定するための所定期間を示す閾値である。単位時間当たりの位置登録規定数５３２は、例えば、所定期間内に位置登録要求を受け付けた回数が所定回数以上であるか否かを判定するための所定回数を示す閾値である。拒否判定閾値５３３は、例えば、端末装置２２０からの位置登録要求を拒否する確率である。
【００７７】
次に、位置登録判定処理部５０４による位置登録を行うか否かの判定を行う際の各判定について説明する。まず、位置登録要求を行った端末装置２２０の位置登録情報記憶部５１１への登録について説明する。位置登録判定処理部５０４は、位置登録要求を行った端末装置２２０の位置登録情報を位置登録履歴情報処理部５０５に問い合わせる。
【００７８】
位置登録履歴情報処理部５０５は、位置登録情報記憶部５１１に記憶されている位置登録情報の中から対象の端末装置２２０を検索する。対象の端末装置２２０が検索できなかった場合には、例えば、新たに自動販売機等の固定端末が設置される場合には、位置登録履歴情報処理部５０５は、未登録情報を位置登録判定処理部５０４へ出力する。未登録情報は、対象の端末装置２２０が位置登録情報記憶部５１１に記憶されていない旨を示す情報である。
【００７９】
位置登録判定処理部５０４は、位置登録履歴情報処理部５０５から、未登録情報を受信すると、位置登録履歴情報処理部５０５に位置登録を行わせると判定する。そして、位置登録判定処理部５０４は、判定結果を位置登録履歴情報処理部５０５へ出力する。位置登録履歴情報処理部５０５は、位置登録判定処理部５０４からの判定結果を受けて、位置登録情報記憶部５１１に、対象の端末装置２２０についての端末番号や位置情報を新規に登録する。このように、対象の端末装置２２０が位置登録情報記憶部５１１に記憶されていない場合は、位置登録判定処理部５０４は、必ず位置登録を行うと判定する。このため、コア装置間での位置登録シーケンスが行われる。
【００８０】
なお、対象の端末装置２２０が位置登録情報記憶部５１１に既に記憶されている場合には、位置登録判定の判定結果にかかわらず、位置登録履歴情報処理部５０５は、位置登録情報記憶部５１１内の対象の端末装置２２０の位置情報や最新登録時刻などを更新する。
【００８１】
次に、位置登録判定処理部５０４による固定端末の識別について説明する。まず、位置登録判定処理部５０４は、位置登録要求を行った対象の端末装置２２０の位置登録情報を位置登録履歴情報処理部５０５に問い合わせる。
【００８２】
位置登録履歴情報処理部５０５は、位置登録情報記憶部５１１に記憶されている位置登録情報の中から対象の端末装置２２０を検索し、対象の端末装置２２０を抽出する。位置登録履歴情報処理部５０５は、抽出した端末装置２２０の最新登録時刻やエリア番号などの位置登録情報を位置登録判定処理部５０４へ出力する。
【００８３】
また、位置登録判定処理部５０４は、時刻管理処理部５０３に現在時刻を問い合わせる。時刻管理処理部５０３は、位置登録判定処理部５０４からの問い合わせがあると、位置登録判定処理部５０４へ現在時刻を示す信号を出力する。
【００８４】
また、位置登録判定処理部５０４は、閾値管理部５０６に移動なし判定閾値５３１を問い合わせる。閾値管理部５０６は、位置登録判定処理部５０４からの問い合わせがあると、閾値記憶部５１３に記憶されている移動なし判定閾値５３１を読み込み、移動なし判定閾値５３１を示す信号を、位置登録判定処理部５０４へ出力する。
【００８５】
位置登録判定処理部５０４は、時刻管理処理部５０３から入力した信号が示す現在時刻と、位置登録履歴情報処理部５０５から受信した対象の端末装置２２０の位置登録情報に含まれる最新登録時刻との時刻差分を算出する。そして、位置登録判定処理部５０４は、算出した時刻差分が閾値管理部５０６から受信した信号が示す移動なし判定閾値５３１以上である場合に、端末装置２２０を固定端末であると識別する。位置登録判定処理部５０４は、固定端末であると識別した端末装置２２０については、所定の確率で位置登録を行わないと判定することができる。
【００８６】
次に、位置登録判定処理部５０４が端末装置２２０をネットワークに接続するための位置登録シーケンスの集中の度合いに応じて、位置登録の可否を判定する場合について説明する。まず、位置登録判定処理部５０４は、判定情報記憶部５１２に記憶されている位置登録件数５２１を読み込む。
【００８７】
また、位置登録判定処理部５０４は、閾値管理部５０６に、単位時間当たりの位置登録規定数５３２を問い合わせる。閾値管理部５０６は、位置登録判定処理部５０４からの問い合わせがあると、閾値記憶部５１３に記憶されている単位時間当たりの位置登録規定数５３２を読み込み、単位時間当たりの位置登録規定数５３２を示す信号を、位置登録判定処理部５０４へ出力する。
【００８８】
位置登録判定処理部５０４は、判定情報記憶部５１２から読み込んだ位置登録件数５２１が、閾値管理部５０６から受信した信号が示す単位時間当たりの位置登録規定数５３２未満である場合に、位置登録が可能と判定することができる。位置登録判定処理部５０４は、位置登録を行うと判定した場合には、位置登録件数５２１を更新する。
【００８９】
また、位置登録判定処理部５０４は、判定情報記憶部５１２から読み込んだ位置登録件数５２１が、閾値管理部５０６から受信した信号が示す単位時間当たりの位置登録規定数５３２以上である場合に、位置登録を行わないと判定することができる。つまり、端末装置２２０をネットワークに接続するための位置登録シーケンスが集中している場合には、位置登録判定処理部５０４は、位置登録を行わないと判定することができる。
【００９０】
次に、位置登録判定処理部５０４が端末装置２２０の位置登録を拒否する確率について説明する。まず、位置登録判定処理部５０４は、判定情報記憶部５１２に記憶されている現在拒否判定値５２２を読み込む。
【００９１】
また、位置登録判定処理部５０４は、閾値管理部５０６に、拒否判定閾値５３３を問い合わせる。閾値管理部５０６は、位置登録判定処理部５０４からの問い合わせがあると、閾値記憶部５１３に記憶されている拒否判定閾値５３３を読み込み、拒否判定閾値５３３を示す信号を、位置登録判定処理部５０４へ出力する。
【００９２】
位置登録判定処理部５０４は、判定情報記憶部５１２から読み込んだ現在拒否判定値５２２が、閾値管理部５０６から受信した信号が示す拒否判定閾値５３３未満である場合に、位置登録が可能と判定することができる。また、位置登録判定処理部５０４は、判定情報記憶部５１２から読み込んだ現在拒否判定値５２２が、閾値管理部５０６から受信した信号が示す拒否判定閾値５３３以上である場合に、位置登録を行わないと判定することができる。また、位置登録判定処理部５０４は、判定結果を用いて、現在拒否判定値５２２を更新する。
【００９３】
このように、位置登録判定処理部５０４は、位置登録を行うか否かを判定することができる。位置登録判定処理部５０４は、ＭＭＥ２０３や端末装置２２０に対して、位置登録を行うか否かの判定結果である位置登録応答を行うための信号を生成し、生成した信号を送信データ処理部５０７へ出力する。
【００９４】
送信データ処理部５０７は、位置登録判定処理部５０４から入力した信号を送信するための送信処理を行って、送信処理を行った信号をインタフェース管理部５０１へ出力する。インタフェース管理部５０１は、送信データ処理部５０７から出力された信号をＭＭＥ２０３やＨＳＳ機能部へ出力する。
【００９５】
なお、位置登録の判定において、位置登録判定処理部５０４は、位置登録情報記憶部５１１に記憶される位置登録情報を用いるが、これに限らない。例えば、ＨＳＳ２０４のユーザ情報記憶部３０８に同様の位置登録情報を記憶させ、該位置登録情報を用いることもできる。
【００９６】
（ＭＭＥ、ＨＳＳ、端末装置、位置登録判定部等のコンピュータ装置のハードウェア構成の一例）
図６は、コンピュータ装置のハードウェア構成の一例を示す図である。図６に示すように、ＭＭＥ２０３、ＨＳＳ２０４、端末装置２２０および位置登録判定部３２０等のコンピュータ装置６００は、ＣＰＵ（Ｃｅｎｔｒａｌ  Ｐｒｏｃｅｓｓｉｎｇ  Ｕｎｉｔ）６０１と、メモリ６０２と、ユーザインタフェース６０３と、通信インタフェース６０４と、を備えている。ＣＰＵ６０１、メモリ６０２、ユーザインタフェース６０３および通信インタフェース６０４は、バス６０９によって接続されている。
【００９７】
ＣＰＵ６０１は、コンピュータ装置６００の全体の制御を司る。メモリ６０２には、例えばメインメモリおよび補助メモリが含まれる。メインメモリは、例えばＲＡＭ（Ｒａｎｄｏｍ  Ａｃｃｅｓｓ  Ｍｅｍｏｒｙ）である。メインメモリは、ＣＰＵ６０１のワークエリアとして使用される。
【００９８】
補助メモリは、例えば磁気ディスク、光ディスク、フラッシュメモリなどの不揮発メモリである。補助メモリには、コンピュータ装置６００を動作させる各種のプログラムが記憶されている。補助メモリに記憶されたプログラムは、メインメモリにロードされてＣＰＵ６０１によって実行される。
【００９９】
ユーザインタフェース６０３は、例えば、ユーザからの操作入力を受け付ける入力デバイスや、ユーザへ情報を出力する出力デバイスなどを含む。入力デバイスは、例えば、タッチパネルやキー（例えばキーボード）やリモコンなどによって実現することができる。出力デバイスは、例えば、タッチパネルやディスプレイやスピーカなどによって実現することができる。ユーザインタフェース６０３は、ＣＰＵ６０１によって制御される。
【０１００】
通信インタフェース６０４は、例えば、無線や有線によってコンピュータ装置６００の外部装置との間で通信を行う通信インタフェースである。通信インタフェース６０４は、ＣＰＵ６０１によって制御される。
【０１０１】
図１に示した、識別部１２１と、制御部１２２とは、メモリ６０２に記憶されたプログラムをＣＰＵ６０１に実行させることにより、その機能を実現する。また、図３に示した、各機能部３０１〜３０７は、メモリ６０２に記憶されたプログラムをＣＰＵ６０１に実行させることにより、また、通信インタフェース６０４の機能により、その機能を実現する。また、図３に示したユーザ情報記憶部３０８は、メモリ６０２によって実現される。
【０１０２】
また、図４に示した各機能部４０１〜４０９は、メモリ６０２に記憶されたプログラムをＣＰＵ６０１に実行させることにより、また、通信インタフェース６０４の機能により、その機能を実現する。また、図４に示した、モビリティ情報記憶部４１０、基地局管理情報記憶部４１１および認証・秘匿情報記憶部４１２は、メモリ６０２によって実現される。
【０１０３】
また、図５に示した各機能部５０１〜５０７は、メモリ６０２に記憶されたプログラムをＣＰＵ６０１に実行させることにより、また、通信インタフェース６０４の機能により、その機能を実現する。また、図５に示した、位置登録情報記憶部５１１、判定情報記憶部５１２および閾値記憶部５１３は、メモリ６０２によって実現される。
【０１０４】
（位置登録情報記憶部が記憶する登録情報の一例）
図７Ａは、位置登録情報記憶部が記憶する登録情報の一例を示す説明図である。図７Ａに示すように、位置登録情報記憶部５１１は、端末番号、登録日時、位置番号、などの各フィールドを有する。これらのフィールドに情報を設定することにより、位置登録情報記憶部５１１には、端末番号、登録日時、位置番号などの組み合わせ毎の登録情報７０１−１〜７０１−５が記憶される。
【０１０５】
端末番号は、端末装置２２０を識別する情報である。登録には、例えば、最古登録と最新登録とがある。最古登録は、例えば、現在の位置情報に変更された日を示す最も古い登録日を示すものであるが、現在の位置情報に変更された日時を示す最も古い登録日時を示すものとしてもよい。また、最新登録は、例えば、現在の位置情報に変更された日時を示す最新の登録日時を示すものであるが、現在の位置情報に変更された日を示す最新の登録日を示すものとしてもよい。位置番号は、端末装置２２０が位置する位置登録エリアを識別する情報である。
【０１０６】
（判定情報記憶部が記憶する登録情報の一例）
図７Ｂは、判定情報記憶部が記憶する登録情報の一例を示す説明図である。図７Ｂに示すように、判定情報記憶部５１２は、位置登録件数５２１と、現在拒否判定値５２２と、の各フィールドを有する。これらのフィールドに情報を設定することにより、判定情報記憶部５１２には、位置登録件数５２１と、現在拒否判定値５２２と、がそれぞれ記憶される。
【０１０７】
位置登録件数５２１は、単位時間当たりの位置登録を行った件数を示す。位置登録判定処理部５０４は、１の端末装置２２０の位置登録を行うと、位置登録件数５２１に１を加算する。現在拒否判定値５２２は、アタッチ要求のあった全ての端末装置２２０の数と、現在拒否している端末装置２２０との比率を示しており、例えば％で表される。
【０１０８】
（無線アクセスシステムが行う位置登録の一例）
図８Ａは、無線アクセスシステムが行う位置登録の一例を示すシーケンス図（その１）である。図８Ｂは、無線アクセスシステムが行う位置登録の一例を示すシーケンス図（その２）である。図８Ａおよび図８Ｂに示すように、端末装置２２０は、電源がＯＮになると、ｅＮｏｄｅＢ２０１およびＭＭＥ２０３を介して、ＨＳＳ２０４に対してアタッチ要求を送信する（ステップＳ８０１）。端末装置２２０がアタッチ要求を行うと、端末装置２２０、ｅＮｏｄｅＢ２０１、ＭＭＥ２０３およびＨＳＳ２０４の間で、それぞれ、認証、秘匿、インテグリティ制御が行われる。
【０１０９】
次に、ＭＭＥ２０３は、ＨＳＳ２０４へ位置登録要求を行う（ステップＳ８０２）。そして、ＨＳＳ２０４は、位置情報を記憶する（ステップＳ８０３）。そして、ＨＳＳ２０４は、位置登録判定処理（図９Ａ，９Ｂ参照）を行う（ステップＳ８０４）。次に、ＨＳＳ２０４は、位置登録判定処理の結果、位置登録を行うか否かを判定する（ステップＳ８０５）。
【０１１０】
位置登録を行わない場合（ステップＳ８０５：Ｎｏ）、ＨＳＳ２０４は、位置登録の拒否を示す位置登録応答をＭＭＥ２０３へ送信する（ステップＳ８０６）。そして、ＭＭＥ２０３は、位置登録の拒否を示すアタッチ応答を端末装置２２０へ送信する（ステップＳ８０７）。そして、端末装置２２０は、一定時間後にアタッチ要求の再送を行い（ステップＳ８０８）、一連の処理を終了する。
【０１１１】
位置登録を行う場合（ステップＳ８０５：Ｙｅｓ）、図８Ｂに示す位置登録シーケンスを行う。位置登録シーケンスにおいて、まず、ＨＳＳ２０４は、ＭＭＥ２０３へ位置登録応答を行う（ステップＳ８０９）。そして、ＭＭＥ２０３は、Ｓ−ＧＷ２０７へベアラ設定要求を行う（ステップＳ８１０）。Ｓ−ＧＷ２０７がＭＭＥ２０３からベアラ設定要求を受信すると、Ｓ−ＧＷ２０７、ＰＣＲＦ２０８、Ｐ−ＧＷ２０９およびＰＤＮ２１０の間でベアラ設定処理を行う（ステップＳ８１１）。
【０１１２】
ベアラ設定処理が行われると、Ｓ−ＧＷ２０７は、ＭＭＥ２０３へベアラ設定応答を送信する（ステップＳ８１２）。ＭＭＥ２０３は、Ｓ−ＧＷ２０７からベアラ設定応答を受信すると、ｅＮｏｄｅＢ２０１へ、アタッチ受け入れを示す無線ベアラ設定要求を送信する（ステップＳ８１３）。ｅＮｏｄｅＢ２０１は、ＭＭＥ２０３からアタッチ受け入れを示す無線ベアラ設定要求を受信すると、端末装置２２０へアタッチ受け入れを示す無線ベアラ設定要求を送信する（ステップＳ８１４）。
【０１１３】
端末装置２２０は、ｅＮｏｄｅＢ２０１からアタッチ受け入れを示す無線ベアラ設定要求を受信すると、無線ベアラ設定応答をｅＮｏｄｅＢ２０１へ送信する（ステップＳ８１５）。ｅＮｏｄｅＢ２０１は、端末装置２２０から無線ベアラ設定応答を受信すると、ＭＭＥ２０３へ、無線ベアラ設定応答を送信する（ステップＳ８１６）。
【０１１４】
また、端末装置２２０は、ＭＭＥ２０３へアタッチ完了を示す信号を送信する（ステップＳ８１７）。ＭＭＥ２０３は、端末装置２２０からアタッチ完了を示す信号を受信すると、Ｓ−ＧＷ２０７にベアラ更新要求を行う（ステップＳ８１８）。Ｓ−ＧＷ２０７がＭＭＥ２０３からベアラ更新要求を受信すると、Ｓ−ＧＷ２０７、ＰＣＲＦ２０８、Ｐ−ＧＷ２０９およびＰＤＮ２１０の間でベアラ更新処理を行う（ステップＳ８１９）。ベアラ更新処理が行われると、Ｓ−ＧＷ２０７は、ＭＭＥ２０３へベアラ更新応答を送信し（ステップＳ８２０）、一連の処理を終了する。
【０１１５】
（位置登録判定部が行う位置登録判定処理の一例）
図９Ａは、位置登録判定部が行う位置登録判定処理の一例を示すフローチャート（その１）である。図９Ｂは、位置登録判定部が行う位置登録判定処理の一例を示すフローチャート（その２）である。図９Ａおよび図９Ｂに示すように、位置登録判定部３２０は、端末装置２２０からアタッチ要求を受信したか否かを判定する（ステップＳ９０１）。アタッチ要求には、端末装置２２０の端末番号や、端末装置２２０が位置するエリアを示す位置番号が含まれる。
【０１１６】
位置登録判定部３２０は、アタッチ要求を受信するまで待機する（ステップＳ９０１：Ｎｏ）。位置登録判定部３２０は、アタッチ要求を受信すると（ステップＳ９０１：Ｙｅｓ）、位置登録情報記憶部５１１に記憶されている位置登録情報の中から、アタッチ要求を行った端末装置２２０を検索する（ステップＳ９０２）。
【０１１７】
次に、位置登録判定部３２０は、位置登録情報記憶部５１１にアタッチ要求を行った端末装置２２０の位置登録情報があるか否かを判定する（ステップＳ９０３）。位置登録情報記憶部５１１にアタッチ要求を行った端末装置２２０の位置登録情報がない場合（ステップＳ９０３：Ｎｏ）、位置登録判定部３２０は、位置登録情報記憶部５１１に位置登録情報を新規に登録する（ステップＳ９０４）。位置登録情報の登録では、端末番号、登録日時（最古登録日時）、位置番号などが登録される。この後、位置登録判定部３２０は、位置登録シーケンスを実施し（ステップＳ９０５）、一連の処理を終了する。
【０１１８】
位置登録情報記憶部５１１にアタッチ要求を行った端末装置２２０の位置登録情報がある場合（ステップＳ９０３：Ｙｅｓ）、アタッチ要求を行った端末装置２２０と位置登録情報との位置番号が一致するか否かを判定する（ステップＳ９０６）。アタッチ要求を行った端末装置２２０と位置登録情報との位置番号が一致しない場合（ステップＳ９０６：Ｎｏ）、位置登録判定部３２０は、位置登録情報を更新し（ステップＳ９０７）、ステップＳ９０５に移行する。この位置登録情報の更新では、例えば、端末番号、最新登録日時、最古登録日時、位置番号などが更新される。
【０１１９】
アタッチ要求を行った端末装置２２０と位置登録情報との位置番号が一致する場合（ステップＳ９０６：Ｙｅｓ）、現在時刻と最新登録時刻との時刻差分が移動なし判定閾値５３１以上であるか否かを判定する（ステップＳ９０８）。移動なし判定閾値５３１は、例えば、予め設定した、分、時間、日などの単位で表すことができる。
【０１２０】
現在時刻と最新登録時刻との時刻差分が移動なし判定閾値５３１未満である場合（ステップＳ９０８：Ｎｏ）、つまり、移動端末である場合、位置登録判定部３２０は、ステップＳ９０７に移行して位置登録情報を更新する。この位置登録情報の更新では、例えば、最新登録日時が更新される。
【０１２１】
ステップＳ９０８において移動なし判定閾値５３１以上である場合（ステップＳ９０８：Ｙｅｓ）、つまり固定端末の場合、位置登録判定部３２０は、単位時間当たりの位置登録件数５２１が単位時間当たりの位置登録規定数５３２以上であるか否かを判定する（ステップＳ９０９）。位置登録規定数５３２は、例えば、１００である。
【０１２２】
単位時間当たりの位置登録件数５２１が単位時間当たりの位置登録規定数５３２未満である場合（ステップＳ９０９：Ｎｏ）、つまり、位置登録シーケンスが集中していない場合、位置登録判定部３２０は、ステップＳ９１０に移行する。ステップＳ９１０において、位置登録判定部３２０は、判定情報記憶部５１２に記憶される位置登録件数５２１を更新し（ステップＳ９１０）、ステップＳ９０７に移行する。この場合のステップＳ９０７における位置登録情報の更新では、例えば、最新登録日時が更新される。
【０１２３】
単位時間当たりの位置登録件数５２１が単位時間当たりの位置登録規定数５３２以上である場合（ステップＳ９０９：Ｙｅｓ）、つまり、位置登録シーケンスが集中している場合、位置登録判定部３２０は、ステップＳ９１１に移行する。ステップＳ９１１では、位置登録判定部３２０は、現在拒否判定値５２２が拒否判定閾値５３３以上であるか否かを判定する（ステップＳ９１１）。拒否判定閾値５３３は、例えば５０％である。
【０１２４】
現在拒否判定値５２２が拒否判定閾値５３３未満である場合（ステップＳ９１１：Ｎｏ）、位置登録判定部３２０は、現在拒否判定値５２２を算出する（ステップＳ９１２）。そして、位置登録判定部３２０は、判定情報記憶部５１２に記憶される現在拒否判定値５２２を更新し（ステップＳ９１３）、ステップＳ９０７に移行する。この場合のステップＳ９０７における位置登録情報の更新では、例えば、最新登録日時が更新される。
【０１２５】
現在拒否判定値５２２が拒否判定閾値５３３以上である場合（ステップＳ９１１：Ｙｅｓ）、位置登録判定部３２０は、現在拒否判定値５２２を算出する（ステップＳ９１４）。そして、位置登録判定部３２０は、現在拒否判定値５２２を更新する（ステップＳ９１５）。次に、位置登録判定部３２０は、位置登録情報を更新する（ステップＳ９１６）。この位置登録情報の更新では、例えば、最新登録日時が更新される。そして、位置登録判定部３２０は、アタッチ要求を行った端末装置２２０へ位置登録拒否通知を送信し（ステップＳ９１７）、一連の処理を終了する。
【０１２６】
以上説明したように、実施の形態によれば、外部電源を用いる固定端末（端末装置２２０）が複数配置される地域において停電が発生し、該停電の解消時に、複数の固定端末からネットワークに接続するための位置登録要求が一斉にコア装置へ送信されることがある。本実施の形態では、固定端末からネットワークへの位置登録要求を所定の確率で拒否することにより、停電後の外部電源の復旧時に、端末装置２２０を通信網に接続する処理を分散させて輻輳を抑えることができる。
【０１２７】
また、本実施の形態では、端末装置２２０は、位置登録判定部３２０によって位置登録要求が拒否された場合に、位置登録判定部３２０（ＨＳＳ２０４）に対して、再度、位置登録要求を行う。このため、位置登録要求が拒否された端末装置２２０についても、ネットワークに接続することができる。
【０１２８】
また、本実施の形態では、単位時間当たりの位置登録件数５２１が位置登録規定数５３２以上の場合に、すなわち、端末装置２２０をネットワークに接続するための位置登録シーケンスが集中している場合には、位置登録を行わないようにすることができる。
【０１２９】
ただし、本実施の形態において、単位時間当たりの位置登録件数５２１が多いほど、拒否判定閾値５３３を高くしてもよい。これにより、端末装置２２０をネットワークに接続するための位置登録シーケンスの集中度合いに応じた拒否判定閾値５３３を用いて、位置登録を行わないようにすることができる。
【０１３０】
また、本実施の形態において、端末装置２２０からの位置登録要求を単位時間当たりに受け付けた回数が所定回数以上の場合に、位置登録要求を拒否してもよい。これにより、停電からの電源復旧時の位置登録要求が多い場合には、端末装置２２０からの位置登録要求を拒否することができる。
【０１３１】
また、本実施の形態において、端末装置２２０位置登録要求を単位時間当たりに受け付けた回数に応じた確率で接続要求を拒否してもよい。これにより、停電からの電源復旧時における接続要求の数に応じた確率で、端末装置２２０からの接続要求を拒否することができる。
【０１３２】
また、本実施の形態では、ＨＳＳ２０４を用いた３．９Ｇまたは４Ｇについて説明したが、３Ｇの場合には、ＳＧＳＮ２０６に位置登録判定部３２０の機能を含ませればよい。これにより、３Ｇの場合についても、本実施の形態と同様の効果を得ることができる。
【０１３３】
（実施の形態の変形例）
次に、実施の形態の変形例について説明する。上述した実施の形態ではＨＳＳ２０４が位置登録判定部３２０を有する場合について説明したが、変形例ではＭＭＥ２０３が位置登録判定部３２０を有する場合について説明する。
【０１３４】
（無線アクセスシステムが行う位置登録の一例）
図１０Ａは、無線アクセスシステムが行う位置登録の変形例を示すシーケンス図（その１）である。図１０Ｂは、無線アクセスシステムが行う位置登録の変形例を示すシーケンス図（その２）である。図１０Ａおよび図１０Ｂに示すように、端末装置２２０は、電源がＯＮになると、ｅＮｏｄｅＢ２０１およびＭＭＥ２０３を介して、ＨＳＳ２０４に対してアタッチ要求を送信する（ステップＳ１００１）。端末装置２２０がアタッチ要求を行うと、端末装置２２０、ｅＮｏｄｅＢ２０１、ＭＭＥ２０３およびＨＳＳ２０４の間で、それぞれ、認証、秘匿、インテグリティ制御が行われる。
【０１３５】
そして、ＭＭＥ２０３は、位置登録判定処理（図９Ａ，９Ｂ参照）を行う（ステップＳ１００２）。次に、ＭＭＥ２０３は、位置登録判定処理の結果、位置登録を行うか否かを判定する（ステップＳ１００３）。
【０１３６】
位置登録を行わない場合（ステップＳ１００３：Ｎｏ）、ＭＭＥ２０３は、位置登録の拒否を示すアタッチ応答を端末装置２２０へ送信する（ステップＳ１００４）。そして、端末装置２２０は、一定時間後にアタッチ要求の再送を行い（ステップＳ１００５）、一連の処理を終了する。
【０１３７】
位置登録を行う場合（ステップＳ１００３：Ｙｅｓ）、ＭＭＥ２０３は、ＨＳＳ２０４へ位置登録要求を行う（ステップＳ１００６）。そして、ＨＳＳ２０４は、位置情報を記憶する（ステップＳ１００７）。次に、ＨＳＳ２０４は、ＭＭＥ２０３へ位置登録応答を行う（ステップＳ８０９）。以降、無線アクセスシステム１００は、図８Ｂに示した動作と同様の位置登録シーケンスを行う。
【０１３８】
なお、変形例において、位置登録の判定においては、ＭＭＥ２０３に含まれる位置登録情報記憶部５１１に記憶される位置登録情報を用いるが、これに限らず、ＨＳＳ２０４に同様の位置登録情報を記憶させ、ＨＳＳ２０４から該位置登録情報を取得してもよい。
【０１３９】
本変形例によれば、実施の形態と同様の効果を得ることができる。このように、位置登録の判定を行う機能部は、ＭＭＥ２０３に含まれていてもよい。また、本変形例では、ＭＭＥ２０３を用いた３．９Ｇまたは４Ｇについて説明したが、３Ｇの場合には、ＲＮＣ２０５に位置登録判定部３２０の機能を含ませればよい。これにより、３Ｇの場合についても、本変形例と同様の効果を得ることができる。
【符号の説明】
【０１４０】
１００  無線アクセスシステム
１１０  端末
１２０  固定端末制御装置
１２１  識別部
１２２  制御部
１３０  ネットワーク
２０１  ｅＮｏｄｅＢ
２０２  ＮｏｄｅＢ
２０３  ＭＭＥ
２０４  ＨＳＳ
２０５  ＲＮＣ
２０６  ＳＧＳＮ
２０７  Ｓ−ＧＷ
２０８  ＰＣＲＦ
２０９  Ｐ−ＧＷ
２１０  ＰＤＮ
２２０  端末装置
３０１，４０１，５０１  インタフェース管理部
３０２，４０２，５０２  受信データ処理部
３０３，４０３  情報処理部
３０４  ユーザ情報管理部
３０５  認証部
３０６  サービス制御部
３０７，４０９，５０７  送信データ処理部
３０８  ユーザ情報記憶部
３２０  位置登録判定部
４０４  モビリティ情報制御部
４０５  ｅＵＴＲＡＮ制御部
４０６  ハンドオーバ処理部
４０７  音声サービスサポート部
４０８  認証・秘匿部
４１０  モビリティ情報記憶部
４１１  基地局管理情報記憶部
４１２  認証・秘匿情報記憶部
５０３  時刻管理処理部
５０４  位置登録判定処理部
５０５  位置登録履歴情報処理部
５０６  閾値管理部
５１１  位置登録情報記憶部
５１２  判定情報記憶部
５１３  閾値記憶部
５１４  時計
６００  コンピュータ装置
６０１  ＣＰＵ
６０２  メモリ
６０３  ユーザインタフェース
６０４  通信インタフェース
【図１】
2016084135.tif 000003
【図２】
2016084135.tif 000004
【図３】
2016084135.tif 000005
【図４】
2016084135.tif 000006
【図５】
2016084135.tif 000007
【図６】
2016084135.tif 000008
【図７Ａ】
2016084135.tif 000009
【図７Ｂ】
2016084135.tif 000010
【図８Ａ】
2016084135.tif 000011
【図８Ｂ】
2016084135.tif 000012
【図９Ａ】
2016084135.tif 000013
【図９Ｂ】
2016084135.tif 000014
【図１０Ａ】
2016084135.tif 000015
【図１０Ｂ】
2016084135.tif 000016
【手続補正書】
【提出日】平成29年4月27日(2017.4.27)
【手続補正１】
【補正対象書類名】特許請求の範囲
【補正対象項目名】全文
【補正方法】変更
【補正の内容】
【特許請求の範囲】
【請求項１】
端末と、
前記端末のネットワークへの接続を要求する接続要求を前記端末から受け付けた場合に、前記端末の位置情報に基づいて、前記端末が、前記端末の位置に所定期間変更のない端末（以下「固定端末」と称する）であるか否かを識別し、前記端末が前記固定端末であると識別した場合に、前記接続要求を所定の確率で拒否する固定端末制御装置と、
を有することを特徴とする無線アクセスシステム。
【請求項２】
前記固定端末制御装置は、１つ以上の端末から前記ネットワークへの接続を要求する接続要求を所定期間内に受け付け、かつ前記接続要求を拒否しなかった回数が所定回数未満の場合に、前記固定端末であると識別した端末からの接続要求を拒否しないことを特徴とする請求項１に記載の無線アクセスシステム。
【請求項３】
端末のネットワークへの接続を要求する接続要求を前記端末から受け付けた場合に、前記端末の位置情報に基づいて、前記端末が、前記端末の位置に所定期間変更のない端末（以下「固定端末」と称する）であるか否かを識別する識別部と、
前記識別部によって前記端末が前記固定端末であると識別された場合に、前記接続要求を所定の確率で拒否する制御部と、
を有することを特徴とする固定端末制御装置。
【手続補正２】
【補正対象書類名】明細書
【補正対象項目名】全文
【補正方法】変更
【補正の内容】
【発明の詳細な説明】
【技術分野】
【０００１】
本発明は、無線アクセスシステムおよび固定端末制御装置に関する。
【背景技術】
【０００２】
従来、端末がビーコン信号を用いて周辺の端末を検出し、同じ端末種別の端末数ｎのリストデータを作成し、１／ｎの割合でネットワーク側に位置を通知する位置登録方法がある（例えば、下記特許文献１参照。）。また、ネットワークの負荷情報の履歴を用いて、アクセス許可時間の間隔を端末に通知してアクセス許可時間以外にアクセス要求があった場合にネットワークのアタッチを拒否するアクセス方法がある（例えば、下記特許文献２参照。）。また、追加された新規ノードが動作するための設定情報を既存ノードから得るために、既存ノードの接続後に新規ノードが接続できるように、次回の接続時刻を新規ノードに通知する通信ノードがある（例えば、下記特許文献３参照。）。
【先行技術文献】
【特許文献】
【０００３】
【特許文献１】特開２０１３−２４７５８８号公報
【特許文献２】特開２０１３−２５８７０４号公報
【特許文献３】国際公開第２０１１／１２１９２１号
【発明の概要】
【発明が解決しようとする課題】
【０００４】
しかしながら、例えば、外部電源を用いる固定端末が複数配置される地域において停電が発生すると、該停電の解消時に、複数の固定端末からネットワークに接続するための接続要求が一斉にコア装置へ送信される。このため、固定端末をネットワークに接続させるためのシーケンスが集中し、ネットワークの輻輳が生じるという問題がある。
【０００５】
本発明は、ネットワークの輻輳を抑えることを目的とする。
【課題を解決するための手段】
【０００６】
本発明の一側面によれば、端末のネットワークへの接続を要求する接続要求を前記端末から受け付けた場合に、前記端末の位置情報に基づいて、前記端末が、前記端末の位置に所定期間変更のない端末（以下「固定端末」と称する）であるか否かを識別し、前記端末が前記固定端末であると識別した場合に、前記接続要求を所定の確率で拒否する、無線アクセスシステムおよび固定端末制御装置が提案される。
【発明の効果】
【０００７】
本発明の一態様によれば、ネットワークの輻輳を抑えることができる。
【図面の簡単な説明】
【０００８】
【図１】図１は、実施の形態にかかる無線アクセスシステムおよび固定端末制御装置の一例を示す図である。
【図２】図２は、無線アクセスシステム１００の一例を示す図である。
【図３】図３は、ＨＳＳの構成例を示す説明図である。
【図４】図４は、ＭＭＥの構成例を示す説明図である。
【図５】図５は、位置登録判定部の構成例を示す説明図である。
【図６】図６は、コンピュータ装置のハードウェア構成の一例を示す図である。
【図７Ａ】図７Ａは、位置登録情報記憶部が記憶する登録情報の一例を示す説明図である。
【図７Ｂ】図７Ｂは、判定情報記憶部が記憶する登録情報の一例を示す説明図である。
【図８Ａ】図８Ａは、無線アクセスシステムが行う位置登録の一例を示すシーケンス図（その１）である。
【図８Ｂ】図８Ｂは、無線アクセスシステムが行う位置登録の一例を示すシーケンス図（その２）である。
【図９Ａ】図９Ａは、位置登録判定部が行う位置登録判定処理の一例を示すフローチャート（その１）である。
【図９Ｂ】図９Ｂは、位置登録判定部が行う位置登録判定処理の一例を示すフローチャート（その２）である。
【図１０Ａ】図１０Ａは、無線アクセスシステムが行う位置登録の変形例を示すシーケンス図（その１）である。
【図１０Ｂ】図１０Ｂは、無線アクセスシステムが行う位置登録の変形例を示すシーケンス図（その２）である。
【発明を実施するための形態】
【０００９】
以下に図面を参照して、開示技術の好適な実施の形態を詳細に説明する。
【００１０】
（実施の形態）
（実施の形態にかかる無線アクセスシステムおよび固定端末制御装置の一例）
図１は、実施の形態にかかる無線アクセスシステムおよび固定端末制御装置の一例を示す図である。図１において、無線アクセスシステム１００は、端末１１０と、固定端末制御装置１２０と、を有する。端末１１０は、移動端末および固定端末を含む。
【００１１】
端末１１０のうち、例えば、人が操作することなく自律的に情報（データ）を送受信する通信機能を持った機器は、Ｍ２Ｍ（Ｍａｃｈｉｎｅ  ｔｏ  Ｍａｃｈｉｎｅ）機器と呼ばれる。Ｍ２Ｍ機器は、近年、その数が増大しつつあり、今後は莫大な数になることが予測されている。Ｍ２Ｍ機器は、移動端末と固定端末とに分類することができる。
【００１２】
移動端末は、例えば、車両や人などの移動体に設けられる通信機器である。固定端末は、例えば、自動販売機、映像監視カメラ、スマートメータなどの移動性の低い機器（例えば固定配置される機器）に設けられる通信機器である。そのような固定端末は、所定の土地・建物などに固定的に付着した定着物であってもよいし、所定の土地・建物などに付着せずに移動可能な状態で据え置かれた物であってもよい。
【００１３】
これらのＭ２Ｍ機器は、有線回線ではなく無線回線が用いられる。例えば、有線回線の場合、機器間を有線接続するための工事を要するが、無線回線の場合、工事が不要である。また、無線回線には、既存の３Ｇ（Ｇｅｎｅｒａｔｉｏｎ）や４Ｇの移動通信システムや、Ｗｉ−Ｆｉ（Ｗｉｒｅｌｅｓｓ  Ｆｉｄｅｌｉｔｙ）（Ｗｉ−Ｆｉは登録商標）などが用いられる。そのため、３ＧＰＰ（３ｒｄ  Ｇｅｎｅｒａｔｉｏｎ  Ｐａｒｔｎｅｒｓｈｉｐ  Ｐｒｏｊｅｃｔ）においても、Ｍ２Ｍ機器を盛り込む検討が行われている。
【００１４】
Ｍ２Ｍ機器は、３ＧＰＰにおいて、ＭＴＣ（Ｍａｃｈｉｎｅ  Ｔｙｐｅ  Ｃｏｍｍｕｎｉｃａｔｉｏｎ）として定義されている。現状の３ＧＰＰでは、Ｒｅｌｅａｓｅ１１によって、端末１１０の識別としてＭＴＣが新たに定義され、ＳＩＢ（Ｓｙｓｔｅｍ  Ｉｎｆｏｒｍａｔｉｏｎ  Ｂｌｏｃｋ）１４での報知情報の通知方法などがある。
【００１５】
ところが、現状の３ＧＰＰでは、固定端末は定義されておらず、つまり、固定端末を識別することができない。そこで、本実施の形態では、端末の位置情報を用いて端末の位置が一定期間不変の端末を固定端末として識別する。
【００１６】
また、固定端末は、例えば、バッテリなどの内部電源を備えておらず、外部から給電を受けるため、例えば、停電時には外部からの給電を受けることができず、電源が落ちる。そして、停電が解消すると、その地域の複数の固定端末は一斉に起動し、これらの固定端末から、ネットワークに接続するための接続要求が一斉にコア装置へ送信される。このため、固定端末をネットワークに接続させるためのシーケンスが集中し、ネットワークの輻輳が生じる。
【００１７】
そこで、本実施の形態では、無線アクセスシステム１００の固定端末制御装置１２０は、位置が一定期間不変の端末１１０を、外部電源を用いる固定端末とみなし、固定端末からネットワーク１３０への接続要求を所定の確率で拒否する。これにより、停電後の外部電源の復旧時に、端末１１０をネットワーク１３０に接続する処理を分散させ、ネットワーク１３０の輻輳を抑えることができる。
【００１８】
図１に示す端末１１０は、例えば、起動時など、ネットワーク１３０への接続を要求する接続要求を固定端末制御装置１２０に対して行う。また、端末１１０は、起動時に限らず、例えば、ユーザの操作入力などに基づいて、ネットワーク１３０への接続要求を固定端末制御装置１２０に対して行う。
【００１９】
固定端末制御装置１２０は、識別部１２１と、制御部１２２と、を有する。識別部１２１は、端末１１０から接続要求を受け付けた場合に、端末１１０の位置情報に基づいて、端末１１０が、端末１１０の位置に所定期間変更のない固定端末であるか否かを識別する。位置情報は、例えば、端末１１０が収容される基地局の位置登録エリアを示す情報であるが、これに限らず、端末１１０が位置する座標や地点を示す情報や、位置登録エリアとは異なるエリアを示す情報や、セルを示す情報などとしてもよい。
【００２０】
識別部１２１は、端末１１０の位置登録エリアを示す情報に所定期間変更がない場合に固定端末と識別する。そのため、端末１１０が移動端末であったとしても、端末１１０の位置登録エリアを示す情報に所定期間変更がない場合には、移動端末を固定端末と識別する。所定期間は、任意の期間を設定することができる。所定期間を長く設定するほど、移動端末を固定端末として識別する際の識別の精度を向上させることができる。
【００２１】
制御部１２２は、識別部１２１によって端末１１０が固定端末であると識別された場合に、接続要求を所定の確率で拒否する。接続要求を拒否するとは、端末１１０のネットワーク１３０への接続を行わないことであり、例えば、接続要求を無視することである。所定の確率とは、任意の確率である。これにより、停電後の外部電源の復旧時に、端末１１０をネットワーク１３０に接続する処理を分散させ、ネットワーク１３０の輻輳を抑えることができる。
【００２２】
また、端末１１０は、固定端末制御装置１２０によって接続要求が拒否された場合に、固定端末制御装置１２０に対して、再度、接続要求を行う。また、制御部１２２は、接続要求を拒否した場合に、接続要求を拒否したことを示す信号を端末１１０へ送信してもよい。例えば、固定端末制御装置１２０が接続要求を拒否した場合に接続要求を拒否したことを示す信号を送信する構成としたとすると、端末１１０は、固定端末制御装置１２０から当該信号を受信した後に、再度、接続要求を行えばよい。当該信号を受信した後とは、例えば、当該信号の受信直後でもよいし、当該信号の受信後の所定期間経過後でもよい。
【００２３】
また、制御部１２２が接続要求を拒否した場合に接続要求を拒否したことを示す信号を送信しない構成としたとすると、端末１１０は、接続要求後の所定期間経過時にネットワーク１３０に接続できていない場合に、再度、接続要求を行えばよい。このように、再度、接続要求を行うことにより、ネットワーク１３０への接続が拒否された端末１１０についても、ネットワーク１３０に接続することができる。
【００２４】
また、制御部１２２は、１つ以上の端末１１０からネットワーク１３０への接続を要求する接続要求を所定期間内に受け付け、かつ該接続要求を拒否しなかった回数が所定回数未満の場合に、固定端末であると識別された端末１１０からの接続要求を拒否しない。例えば、固定端末制御装置１２０は、１つの端末１１０から所定期間内に複数回の接続要求を受け付けることもある。
【００２５】
接続要求を拒否しなかったとは、端末１１０をネットワーク１３０に接続させたことである。接続要求を拒否しなかった回数が所定回数未満の場合とは、例えば、固定端末をネットワーク１３０に接続するためのシーケンスが集中していない場合である。そのため、制御部１２２は、固定端末をネットワーク１３０に接続するためのシーケンスが集中していない場合には、識別部１２１によって固定端末であると識別された端末１１０からの接続要求を拒否しない。
【００２６】
一方で、制御部１２２は、接続要求を拒否しなかった回数が所定回数以上の場合に、識別部１２１によって固定端末であると識別された端末１１０からの接続要求を拒否する。接続要求を拒否しなかった回数が所定回数以上の場合とは、固定端末をネットワーク１３０に接続するためのシーケンスが集中している場合である。
【００２７】
そのため、固定端末制御装置１２０は、固定端末をネットワーク１３０に接続するためのシーケンスが集中している場合には、識別部１２１によって固定端末であると識別された端末１１０からの接続要求を拒否することができる。
【００２８】
また、制御部１２２は、１つ以上の端末１１０からネットワーク１３０への接続を要求する接続要求を所定期間内に受け付け、かつ該接続要求を拒否しなかった回数に応じた所定の確率で、固定端末であると識別された端末１１０からの接続要求を拒否する。例えば、制御部１２２は、接続要求を拒否しなかった回数が多いほど、接続要求を拒否する確率を高くすればよい。
【００２９】
例えば、接続要求を拒否しなかった回数が、１００回の場合は接続要求を拒否する確率（所定の確率）を１０％にし、２００回の場合は接続要求を拒否する確率を２０％にし、５００回の場合は接続要求を拒否する確率を５０％にしてもよい。これにより、固定端末をネットワーク１３０に接続するためのシーケンスの集中する度合いに応じた確率で、識別部１２１によって固定端末であると識別された端末１１０からの接続要求を拒否することができる。
【００３０】
また、制御部１２２は、１つ以上の端末１１０からネットワーク１３０への接続を要求する接続要求を所定期間内に受け付けた回数が所定回数未満の場合に、識別部１２１によって固定端末であると識別された端末１１０からの接続要求を拒否しない。接続要求を所定期間内に受け付けた回数が所定回数未満の場合とは、例えば、停電からの電源復旧時を除く通常時のように接続要求が少ない場合である。そのため、制御部１２２は、通常時の接続要求が少ない場合には、識別部１２１によって固定端末であると識別された端末１１０からの接続要求を拒否しない。
【００３１】
一方で、制御部１２２は、１つ以上の端末１１０からネットワーク１３０への接続を要求する接続要求を所定期間内に受け付けた回数が所定回数以上の場合に、識別部１２１によって固定端末であると識別された端末１１０からの接続要求を拒否する。接続要求を所定期間内に受け付けた回数が所定回数以上の場合とは、停電からの電源復旧時のように接続要求が多い場合である。
【００３２】
そのため、固定端末制御装置１２０は、停電からの電源復旧時の接続要求が多い場合には、識別部１２１によって固定端末であると識別された端末１１０からの接続要求を拒否することができる。
【００３３】
また、制御部１２２は、１つ以上の端末１１０からネットワーク１３０への接続を要求する接続要求を所定期間内に受け付けた回数に応じた所定の確率で、識別部１２１によって固定端末であると識別された端末１１０からの接続要求を拒否してもよい。例えば、制御部１２２は、所定期間内に接続要求を受け付けた回数が多いほど、接続要求を拒否する確率を高くすればよい。
【００３４】
例えば、所定期間内に接続要求を受け付けた回数が、１００回の場合は接続要求を拒否する確率を１０％にし、２００回の場合は接続要求を拒否する確率を２０％にし、５００回の場合は接続要求を拒否する確率を５０％にしてもよい。これにより、停電からの電源復旧時の接続要求の数に応じた確率で、識別部１２１によって固定端末であると識別された端末１１０からの接続要求を拒否することができる。
【００３５】
（無線アクセスシステムの一例）
図２は、無線アクセスシステム１００の一例を示す図である。図２に示すように無線アクセスシステム１００は、ｅＮｏｄｅＢ（ｅｖｏｌｖｅｄ  Ｎｏｄｅ  Ｂ）２０１と、ＮｏｄｅＢ２０２と、ＭＭＥ（Ｍｏｂｉｌｅ  Ｍａｎａｇｅｍｅｎｔ  Ｅｎｔｉｔｙ）２０３と、を有する。また、無線アクセスシステム１００は、ＨＳＳ（Ｈｏｍｅ  Ｓｕｂｓｃｒｉｂｅｒ  Ｓｅｒｖｅｒ）２０４と、ＲＮＣ（Ｒａｄｉｏ  Ｎｅｔｗｏｒｋ  Ｃｏｎｔｒｏｌｌｅｒ）２０５と、を有する。
【００３６】
また、無線アクセスシステム１００は、ＳＧＳＮ（Ｓｅｒｖｉｎｇ  ＧＰＲＳ（Ｇｅｎｅｒａｌ  Ｐａｃｋｅｔ  Ｒａｄｉｏ  Ｓｅｒｖｉｃｅ）  Ｓｕｐｐｏｒｔ  Ｎｏｄｅ）２０６と、Ｓ−ＧＷ（Ｓｅｒｖｉｎｇ−Ｇａｔｅ  Ｗａｙ）２０７と、を有する。また、無線アクセスシステム１００は、ＰＣＲＦ（Ｐｏｌｉｃｙ  ａｎｄ  Ｃｈａｒｇｉｎｇ  Ｒｕｌｅ  Ｆｕｎｃｔｉｏｎ）２０８と、Ｐ−ＧＷ（Ｐａｃｋｅｔ  Ｄａｔａ  Ｎｅｔｗｏｒｋ−ＧＷ）２０９と、端末装置２２０と、を有する。
【００３７】
図２に示すように、端末装置２２０は、スマートフォンなどの移動端末と、自動販売機やスマートメータなどに設けられた固定端末とを含む。端末装置２２０は、例えば、図１に示した端末１１０に相当する。例えば、端末装置２２０は、電源がＯＮになったときに、端末装置２２０のネットワークへの接続を要求するためのアタッチ要求信号をＭＭＥ２０３へ送信する。
【００３８】
ｅＮｏｄｅＢ２０１は、ＬＴＥ（Ｌｏｎｇ  Ｔｅｒｍ  Ｅｖｏｌｕｔｉｏｎ）方式の無線通信に対応した無線基地局であり、端末装置２２０を収容する。ｅＮｏｄｅＢ２０１は、ＭＭＥ２０３との間で制御データを送受し、Ｓ−ＧＷ２０７との間でユーザデータを送受する。
【００３９】
ＮｏｄｅＢ２０２は、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）の無線基地局であり、端末装置２２０を収容する。ＮｏｄｅＢ２０２は、ＲＮＣ２０５との間で、制御データおよびユーザデータを送受する。
【００４０】
ＭＭＥ２０３は、ｅＮｏｄｅＢ２０１を収容し、端末装置２２０の移動管理、認証（セキュリティ制御）およびユーザデータの転送経路の設定を行う。例えば、ＭＭＥ２０３は、端末装置２２０の位置登録や、呼出や、ｅＮｏｄｅＢ２０１間のハンドオーバなどの管理を行う。ＭＭＥ２０３は、ｅＮｏｄｅＢ２０１や、ＨＳＳ２０４や、Ｓ−ＧＷ２０７との間で制御データを送受する。
【００４１】
また、例えば、ＭＭＥ２０３は、ＨＳＳ２０４から受信した認証情報を基にユーザ認証を行い、ＨＳＳ２０４からベアラ設定に必要な契約情報を受信して管理する。ＭＭＥ２０３は、端末装置２２０から送信された接続先の情報を基に、ＤＮＳ（Ｄｏｍａｉｎ  Ｎａｍｅ  Ｓｙｓｔｅｍ）によりベアラ設定先のＳ−ＧＷ２０７およびＰ−ＧＷ２０９を選択する。ＭＭＥ２０３は、選択したＳ−ＧＷ２０７に対して、ベアラ設定要求信号を送信する。
【００４２】
ＨＳＳ２０４は、加入者情報を管理するサーバを有し、ユーザの位置情報（位置登録エリア）の管理、認証、サービスの起動状態の管理などを行う。例えば、ＨＳＳ２０４は、端末装置２２０の電話番号や端末識別番号や認証情報などのユーザ情報を管理する。ＨＳＳ２０４は、ＭＭＥ２０３や、ＳＧＳＮ２０６との間で制御データを送受する。ＭＭＥ２０３およびＨＳＳ２０４を用いることにより、３．９Ｇまたは４Ｇの通信を行うことができる。
【００４３】
ＲＮＣ２０５は、３Ｇの無線設備装置であり、ＮｏｄｅＢ２０２を制御する。ＲＮＣ２０５は、ＮｏｄｅＢ２０２やＳＧＳＮ２０６との間で、制御データおよびユーザデータを送受する。
【００４４】
ＳＧＳＮ２０６は、３Ｇ無線アクセスにおける端末装置２２０の移動管理や認証（セキュリティ制御）などを行う。ＳＧＳＮ２０６は、例えば、プロトコル情報やＩＰ（Ｉｎｔｅｒｎｅｔ  Ｐｒｏｔｏｃｏｌ）アドレスなどの情報を制御する。ＳＧＳＮ２０６は、ＲＮＣ２０５との間で制御データおよびユーザデータを送受し、ＨＳＳ２０４との間で制御データを送受し、Ｓ−ＧＷ２０７との間でユーザデータを送受する。ＲＮＣ２０５およびＳＧＳＮ２０６を用いることにより、３Ｇの通信を行うことができる。
【００４５】
Ｓ−ＧＷ２０７は、ユーザデータを中継するノードである。Ｓ−ＧＷ２０７は、ユーザデータを伝送する装置である。例えば、Ｓ−ＧＷ２０７は、ｅＮｏｄｅＢ２０１やＳＧＳＮ２０６やＰ−ＧＷ２０９との間でユーザデータを送受し、ＭＭＥ２０３やＰＣＲＦ２０８との間で制御データを送受する。
【００４６】
また、Ｓ−ＧＷ２０７は、ベアラ設定要求信号に設定されたＰ−ＧＷ２０９に対して、ベアラ設定処理を実施する。Ｓ−ＧＷ２０７は、Ｓ−ＧＷ２０７とＰ−ＧＷ２０９との間のベアラの設定が完了すると、ｅＮｏｄｅＢ２０１向けの伝達情報をＭＭＥ２０３へ通知する。
【００４７】
ＰＣＲＦ２０８は、サービスに応じた優先制御や課金のルールを設定する。ＰＣＲＦ２０８は、Ｓ−ＧＷ２０７、Ｐ−ＧＷ２０９およびＰＤＮ（Ｐａｃｋｅｔ  Ｄａｔａ  Ｎｅｔｗｏｒｋ）２１０との間で制御データを送受する。
【００４８】
Ｐ−ＧＷ２０９は、外部ネットワークと接続するゲートウエイである。また、Ｐ−ＧＷ２０９は、Ｓ−ＧＷ２０７およびＰＤＮ２１０との間でユーザデータを送受し、ＰＣＲＦ２０８との間で制御データを送受する。例えば、Ｐ−ＧＷ２０９は、ＰＣＲＦ２０８と連携し、適用すべき課金情報を取得し、さらに、ＰＤＮ２１０への接続処理を実施する。
【００４９】
無線アクセスシステム１００では、端末装置２２０の電源がＯＮになると、端末装置２２０は、動作に最低限必要な認証や位置登録などを行うために、アタッチ要求信号をＭＭＥ２０３へ送信し、Ｓ−ＧＷ２０７とＰ−ＧＷ２０９との間のベアラを設定する。これにより、起動時などに、端末装置２２０をＰＤＮ２１０に接続することができる。
【００５０】
端末装置２２０のネットワークへの接続に際しては、例えば、ＨＳＳ２０４における、端末装置２２０の位置情報（位置登録エリア）の記憶や、ネットワークに接続するためのコア装置（ＨＳＳ２０４やＳ−ＧＷ２０７等）間でのシーケンスが行われる。以下の説明においては、端末装置２２０のネットワークへの接続を、端末１１０の位置情報の記憶およびコア装置間でのシーケンスを含めた「位置登録」という。また、接続要求を「位置登録要求」という。コア装置間でのシーケンスを「位置登録シーケンス」という。
【００５１】
また、以下の説明においては、ＭＭＥ２０３およびＨＳＳ２０４による３．９Ｇまたは４Ｇについて説明する。
【００５２】
（ＨＳＳの構成例）
図３は、ＨＳＳの構成例を示す説明図である。図３に示すように、ＨＳＳ２０４は、インタフェース管理部３０１と、受信データ処理部３０２と、情報処理部３０３と、ユーザ情報管理部３０４と、認証部３０５と、サービス制御部３０６と、送信データ処理部３０７と、ユーザ情報記憶部３０８と、を有する。
【００５３】
インタフェース管理部３０１は、ＭＭＥ２０３や位置登録判定部３２０との間でデータを送受するインタフェースを管理する。位置登録判定部３２０は、位置が一定期間不変の端末装置２２０を固定端末とみなし、固定端末からネットワークへの位置登録要求を所定の確率で拒否する。図１に示した固定端末制御装置１２０は、例えば、位置登録判定部３２０によって実現することができる。
【００５４】
例えば、位置登録判定部３２０は、ＨＳＳ２０４に含まれる。そのため、図３に示すＨＳＳ２０４の各機能は、位置登録判定部３２０の機能を除いた機能を示している。ただし、位置登録判定部３２０は、ＨＳＳ２０４に含ませずに、独立した装置とすることも可能であるし、後述の変形例に示すようにＭＭＥ２０３に含ませることも可能である。
【００５５】
インタフェース管理部３０１は、ＭＭＥ２０３や位置登録判定部３２０から受信した信号を受信データ処理部３０２へ出力する。受信データ処理部３０２は、インタフェース管理部３０１から入力した信号の受信処理を行い、受信処理を行った信号を情報処理部３０３へ出力する。情報処理部３０３は、例えば、受信データ処理部３０２から入力した信号を用いて各種処理を行い、各種処理を行った信号をユーザ情報管理部３０４、認証部３０５およびサービス制御部３０６へ出力する。
【００５６】
ユーザ情報記憶部３０８は、端末装置２２０の、電話番号、端末識別番号、契約情報、認証情報、位置情報などの、ユーザ情報を記憶する。ユーザ情報管理部３０４は、例えば、情報処理部３０３から出力された信号が示す端末装置２２０の情報と、ユーザ情報記憶部３０８に記憶されるユーザ情報とを用いて、端末装置２２０毎のユーザの登録内容を確認する。ユーザ情報管理部３０４は、例えば、確認した内容を情報処理部３０３へ出力する。
【００５７】
認証部３０５は、例えば、情報処理部３０３から出力された信号が示す端末装置２２０の情報と、ユーザ情報記憶部３０８に記憶されるユーザ情報とを用いて、端末装置２２０の認証を行う。認証部３０５は、認証結果を情報処理部３０３へ出力する。
【００５８】
サービス制御部３０６は、例えば、情報処理部３０３から出力された信号が示す端末装置２２０の情報を用いて、ユーザ情報記憶部３０８に記憶されるユーザ情報の中から、端末装置２２０毎のベアラ設定に必要な契約情報等を取得する。また、サービス制御部３０６は、例えば、端末装置２２０毎のベアラ設定に必要な契約情報を情報処理部３０３へ出力する。
【００５９】
情報処理部３０３は、ユーザ情報管理部３０４、認証部３０５およびサービス制御部３０６から出力された情報に基づいて、各種処理を行い、各種処理を行った信号を送信データ処理部３０７へ出力する。送信データ処理部３０７は、情報処理部３０３から入力した信号を送信するための送信処理を行って、送信処理を行った信号をインタフェース管理部３０１へ出力する。インタフェース管理部３０１は、送信データ処理部３０７から出力された信号をＭＭＥ２０３や位置登録判定部３２０へ出力する。
【００６０】
（ＭＭＥの構成例）
図４は、ＭＭＥの構成例を示す説明図である。図４に示すように、ＭＭＥ２０３は、インタフェース管理部４０１と、受信データ処理部４０２と、情報処理部４０３と、モビリティ情報制御部４０４と、ｅＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）制御部４０５と、を有する。また、ＭＭＥ２０３は、ハンドオーバ処理部４０６と、音声サービスサポート部４０７と、認証・秘匿部４０８と、送信データ処理部４０９と、モビリティ情報記憶部４１０と、基地局管理情報記憶部４１１と、認証・秘匿情報記憶部４１２と、を有する。
【００６１】
インタフェース管理部４０１は、ＨＳＳ２０４との間でデータを送受するインタフェースを管理する。インタフェース管理部４０１は、ＨＳＳ２０４から受信した信号を受信データ処理部４０２へ出力する。受信データ処理部４０２は、インタフェース管理部４０１から入力した信号の受信処理を行い、受信処理を行った信号を情報処理部４０３へ出力する。
【００６２】
情報処理部４０３は、受信データ処理部４０２から入力した信号を用いて各種処理を行い、各種処理を行った信号をモビリティ情報制御部４０４、ハンドオーバ処理部４０６、ｅＵＴＲＡＮ制御部４０５および音声サービスサポート部４０７などへ出力する。
【００６３】
モビリティ情報記憶部４１０は、例えば、ｅＮｏｄｅＢ２０１間において端末装置２２０のシームレスな移動を行うためのモビリティ情報を記憶する。モビリティ情報制御部４０４は、例えば、情報処理部４０３から出力された信号が示すベアラ設定に必要な契約情報と、モビリティ情報制御部４０４に記憶される情報とに基づいて、端末装置２２０が移動しても通信を継続させることができる。
【００６４】
基地局管理情報記憶部４１１は、例えば、ｅＮｏｄｅＢ２０１の情報を記憶する。ｅＮｏｄｅＢ２０１の情報は、例えば、Ｅ−ＵＴＲＡＮ  Ｃｅｌｌ  Ｇｌｏｂａｌ  ＩＤ（Ｉｄｅｎｔｉｆｉｃａｔｉｏｎ）（ＥＣＧＩ）などのｅＮｏｄｅＢ２０１のＩＤ番号などがある。ｅＵＴＲＡＮ制御部４０５は、例えば、情報処理部４０３から出力された信号が示す情報と、基地局管理情報記憶部４１１に記憶される情報とを用いて、ＬＴＥの接続を制御する。ｅＵＴＲＡＮ制御部４０５は、ＬＴＥの接続を制御する情報をハンドオーバ処理部４０６へ出力する。
【００６５】
ハンドオーバ処理部４０６は、例えば、情報処理部４０３から出力された信号が示す情報と、モビリティ情報記憶部４１０に記憶される情報と、ｅＵＴＲＡＮ制御部４０５からの情報と、を用いて、ハンドオーバ処理を行う。
【００６６】
また、音声サービスサポート部４０７は、例えば、情報処理部４０３から出力された信号が示す情報と、基地局管理情報記憶部４１１に記憶される情報とを用いて、音声サービスを行う。認証・秘匿情報記憶部４１２は、認証・秘匿情報を記憶する。また、認証・秘匿部４０８は、例えば、情報処理部４０３から出力された信号が示すＨＳＳ２０４からの認証情報と、認証・秘匿情報記憶部４１２に記憶される認証・秘匿情報とを用いて、ユーザ認証等のセキュリティの制御を行う。
【００６７】
情報処理部４０３は、例えば、各部４０４〜４０８から出力された情報に基づいて、各種処理を行い、各種処理を行った信号を送信データ処理部４０９へ出力する。送信データ処理部４０９は、情報処理部４０３から入力した信号を送信するための送信処理を行って、送信処理を行った信号をインタフェース管理部４０１へ出力する。インタフェース管理部４０１は、送信データ処理部４０９から出力された信号をＨＳＳ２０４へ出力する。
【００６８】
（位置登録判定部の構成例）
図５は、位置登録判定部の構成例を示す説明図である。図５に示すように、位置登録判定部３２０は、インタフェース管理部５０１と、受信データ処理部５０２と、時刻管理処理部５０３と、位置登録判定処理部５０４と、閾値管理部５０６と、位置登録履歴情報処理部５０５と、送信データ処理部５０７と、を有する。また、位置登録判定部３２０は、位置登録情報記憶部５１１と、判定情報記憶部５１２と、閾値記憶部５１３と、時計５１４と、を有する。
【００６９】
位置登録判定部３２０は、例えば、ＨＳＳ２０４に含まれる。そのため、図５に示すＨＳＳ２０４は、ＨＳＳ２０４の位置登録判定部３２０の機能を除いたＨＳＳ２０４本来の機能部（図５の説明においては「ＨＳＳ機能部」と称する）を示している。インタフェース管理部５０１は、ＨＳＳ機能部との間でデータを送受するインタフェースを管理する。インタフェース管理部５０１は、ＨＳＳ機能部から受信した信号を受信データ処理部５０２へ出力する。例えば、インタフェース管理部５０１は、ＨＳＳ機能部を介して、端末装置２２０からのアタッチ要求を受信する。
【００７０】
受信データ処理部５０２は、インタフェース管理部５０１から入力した信号の受信処理を行う。例えば、受信データ処理部５０２は、アタッチ要求に含まれる、端末装置２２０の端末番号や、端末装置２２０の位置情報（位置登録エリアを示す位置番号）を抽出する受信処理を行う。受信データ処理部５０２は、受信処理を行った信号を位置登録判定処理部５０４へ出力する。また、時刻管理処理部５０３は、時計５１４から現在時刻を示す信号を取得し、取得した信号を位置登録判定処理部５０４へ送信する。
【００７１】
位置登録判定処理部５０４は、受信データ処理部５０２から受信した信号や、時刻管理処理部５０３から受信した信号などを用いて、位置登録を行うか否かを判定する。なお、上述したように、位置登録とは、例えばＨＳＳ２０４における端末装置２２０の位置情報の記憶と、コア装置（ＨＳＳ２０４やＳ−ＧＷ２０７等）間での位置登録シーケンスと、を含む。
【００７２】
位置登録の判定には、受信データ処理部５０２からの端末番号や位置情報や、時刻管理処理部５０３からの現在時刻のほか、判定情報記憶部５１２に記憶される情報、位置登録履歴情報処理部５０５や閾値管理部５０６からの情報、などが用いられる。
【００７３】
例えば、判定情報記憶部５１２に記憶される情報には、単位時間（所定期間）当たりの位置登録件数５２１や現在拒否判定値５２２がある。位置登録件数５２１は、例えば、単位時間内に位置登録を行った数である。現在拒否判定値５２２は、例えば、所定期間内に位置登録を拒否した確率である。
【００７４】
また、位置登録履歴情報処理部５０５が位置登録判定処理部５０４へ出力する情報には、位置登録情報記憶部５１１に記憶される位置登録情報が含まれる。位置登録情報には、端末装置２２０の端末番号や、端末装置２２０が位置するエリアを示す位置番号、最新登録日時、最古登録日時、などが含まれる。位置登録履歴情報処理部５０５は、位置登録情報記憶部５１１に記憶される位置登録情報の書き込みや読み出しを行い、読み出した情報を位置登録判定処理部５０４へ出力する。
【００７５】
閾値管理部５０６が位置登録判定処理部５０４へ出力する情報には、閾値記憶部５１３に記憶される情報（閾値）が含まれる。閾値記憶部５１３は、移動なし判定閾値５３１と、単位時間当たりの位置登録規定数５３２と、拒否判定閾値５３３と、を記憶する。
【００７６】
移動なし判定閾値５３１は、例えば、端末装置２２０の位置情報が示す位置に所定期間変更のない固定端末であるか否かを判定するための所定期間を示す閾値である。単位時間当たりの位置登録規定数５３２は、例えば、所定期間内に位置登録要求を受け付けた回数が所定回数以上であるか否かを判定するための所定回数を示す閾値である。拒否判定閾値５３３は、例えば、端末装置２２０からの位置登録要求を拒否する確率である。
【００７７】
次に、位置登録判定処理部５０４による位置登録を行うか否かの判定を行う際の各判定について説明する。まず、位置登録要求を行った端末装置２２０の位置登録情報記憶部５１１への登録について説明する。位置登録判定処理部５０４は、位置登録要求を行った端末装置２２０の位置登録情報を位置登録履歴情報処理部５０５に問い合わせる。
【００７８】
位置登録履歴情報処理部５０５は、位置登録情報記憶部５１１に記憶されている位置登録情報の中から対象の端末装置２２０を検索する。対象の端末装置２２０が検索できなかった場合には、例えば、新たに自動販売機等の固定端末が設置される場合には、位置登録履歴情報処理部５０５は、未登録情報を位置登録判定処理部５０４へ出力する。未登録情報は、対象の端末装置２２０が位置登録情報記憶部５１１に記憶されていない旨を示す情報である。
【００７９】
位置登録判定処理部５０４は、位置登録履歴情報処理部５０５から、未登録情報を受信すると、位置登録履歴情報処理部５０５に位置登録を行わせると判定する。そして、位置登録判定処理部５０４は、判定結果を位置登録履歴情報処理部５０５へ出力する。位置登録履歴情報処理部５０５は、位置登録判定処理部５０４からの判定結果を受けて、位置登録情報記憶部５１１に、対象の端末装置２２０についての端末番号や位置情報を新規に登録する。このように、対象の端末装置２２０が位置登録情報記憶部５１１に記憶されていない場合は、位置登録判定処理部５０４は、必ず位置登録を行うと判定する。このため、コア装置間での位置登録シーケンスが行われる。
【００８０】
なお、対象の端末装置２２０が位置登録情報記憶部５１１に既に記憶されている場合には、位置登録判定の判定結果にかかわらず、位置登録履歴情報処理部５０５は、位置登録情報記憶部５１１内の対象の端末装置２２０の位置情報や最新登録時刻などを更新する。
【００８１】
次に、位置登録判定処理部５０４による固定端末の識別について説明する。まず、位置登録判定処理部５０４は、位置登録要求を行った対象の端末装置２２０の位置登録情報を位置登録履歴情報処理部５０５に問い合わせる。
【００８２】
位置登録履歴情報処理部５０５は、位置登録情報記憶部５１１に記憶されている位置登録情報の中から対象の端末装置２２０を検索し、対象の端末装置２２０を抽出する。位置登録履歴情報処理部５０５は、抽出した端末装置２２０の最新登録時刻やエリア番号などの位置登録情報を位置登録判定処理部５０４へ出力する。
【００８３】
また、位置登録判定処理部５０４は、時刻管理処理部５０３に現在時刻を問い合わせる。時刻管理処理部５０３は、位置登録判定処理部５０４からの問い合わせがあると、位置登録判定処理部５０４へ現在時刻を示す信号を出力する。
【００８４】
また、位置登録判定処理部５０４は、閾値管理部５０６に移動なし判定閾値５３１を問い合わせる。閾値管理部５０６は、位置登録判定処理部５０４からの問い合わせがあると、閾値記憶部５１３に記憶されている移動なし判定閾値５３１を読み込み、移動なし判定閾値５３１を示す信号を、位置登録判定処理部５０４へ出力する。
【００８５】
位置登録判定処理部５０４は、時刻管理処理部５０３から入力した信号が示す現在時刻と、位置登録履歴情報処理部５０５から受信した対象の端末装置２２０の位置登録情報に含まれる最新登録時刻との時刻差分を算出する。そして、位置登録判定処理部５０４は、算出した時刻差分が閾値管理部５０６から受信した信号が示す移動なし判定閾値５３１以上である場合に、端末装置２２０を固定端末であると識別する。位置登録判定処理部５０４は、固定端末であると識別した端末装置２２０については、所定の確率で位置登録を行わないと判定することができる。
【００８６】
次に、位置登録判定処理部５０４が端末装置２２０をネットワークに接続するための位置登録シーケンスの集中の度合いに応じて、位置登録の可否を判定する場合について説明する。まず、位置登録判定処理部５０４は、判定情報記憶部５１２に記憶されている位置登録件数５２１を読み込む。
【００８７】
また、位置登録判定処理部５０４は、閾値管理部５０６に、単位時間当たりの位置登録規定数５３２を問い合わせる。閾値管理部５０６は、位置登録判定処理部５０４からの問い合わせがあると、閾値記憶部５１３に記憶されている単位時間当たりの位置登録規定数５３２を読み込み、単位時間当たりの位置登録規定数５３２を示す信号を、位置登録判定処理部５０４へ出力する。
【００８８】
位置登録判定処理部５０４は、判定情報記憶部５１２から読み込んだ位置登録件数５２１が、閾値管理部５０６から受信した信号が示す単位時間当たりの位置登録規定数５３２未満である場合に、位置登録が可能と判定することができる。位置登録判定処理部５０４は、位置登録を行うと判定した場合には、位置登録件数５２１を更新する。
【００８９】
また、位置登録判定処理部５０４は、判定情報記憶部５１２から読み込んだ位置登録件数５２１が、閾値管理部５０６から受信した信号が示す単位時間当たりの位置登録規定数５３２以上である場合に、位置登録を行わないと判定することができる。つまり、端末装置２２０をネットワークに接続するための位置登録シーケンスが集中している場合には、位置登録判定処理部５０４は、位置登録を行わないと判定することができる。
【００９０】
次に、位置登録判定処理部５０４が端末装置２２０の位置登録を拒否する確率について説明する。まず、位置登録判定処理部５０４は、判定情報記憶部５１２に記憶されている現在拒否判定値５２２を読み込む。
【００９１】
また、位置登録判定処理部５０４は、閾値管理部５０６に、拒否判定閾値５３３を問い合わせる。閾値管理部５０６は、位置登録判定処理部５０４からの問い合わせがあると、閾値記憶部５１３に記憶されている拒否判定閾値５３３を読み込み、拒否判定閾値５３３を示す信号を、位置登録判定処理部５０４へ出力する。
【００９２】
位置登録判定処理部５０４は、判定情報記憶部５１２から読み込んだ現在拒否判定値５２２が、閾値管理部５０６から受信した信号が示す拒否判定閾値５３３未満である場合に、位置登録が可能と判定することができる。また、位置登録判定処理部５０４は、判定情報記憶部５１２から読み込んだ現在拒否判定値５２２が、閾値管理部５０６から受信した信号が示す拒否判定閾値５３３以上である場合に、位置登録を行わないと判定することができる。また、位置登録判定処理部５０４は、判定結果を用いて、現在拒否判定値５２２を更新する。
【００９３】
このように、位置登録判定処理部５０４は、位置登録を行うか否かを判定することができる。位置登録判定処理部５０４は、ＭＭＥ２０３や端末装置２２０に対して、位置登録を行うか否かの判定結果である位置登録応答を行うための信号を生成し、生成した信号を送信データ処理部５０７へ出力する。
【００９４】
送信データ処理部５０７は、位置登録判定処理部５０４から入力した信号を送信するための送信処理を行って、送信処理を行った信号をインタフェース管理部５０１へ出力する。インタフェース管理部５０１は、送信データ処理部５０７から出力された信号をＭＭＥ２０３やＨＳＳ機能部へ出力する。
【００９５】
なお、位置登録の判定において、位置登録判定処理部５０４は、位置登録情報記憶部５１１に記憶される位置登録情報を用いるが、これに限らない。例えば、ＨＳＳ２０４のユーザ情報記憶部３０８に同様の位置登録情報を記憶させ、該位置登録情報を用いることもできる。
【００９６】
（ＭＭＥ、ＨＳＳ、端末装置、位置登録判定部等のコンピュータ装置のハードウェア構成の一例）
図６は、コンピュータ装置のハードウェア構成の一例を示す図である。図６に示すように、ＭＭＥ２０３、ＨＳＳ２０４、端末装置２２０および位置登録判定部３２０等のコンピュータ装置６００は、ＣＰＵ（Ｃｅｎｔｒａｌ  Ｐｒｏｃｅｓｓｉｎｇ  Ｕｎｉｔ）６０１と、メモリ６０２と、ユーザインタフェース６０３と、通信インタフェース６０４と、を備えている。ＣＰＵ６０１、メモリ６０２、ユーザインタフェース６０３および通信インタフェース６０４は、バス６０９によって接続されている。
【００９７】
ＣＰＵ６０１は、コンピュータ装置６００の全体の制御を司る。メモリ６０２には、例えばメインメモリおよび補助メモリが含まれる。メインメモリは、例えばＲＡＭ（Ｒａｎｄｏｍ  Ａｃｃｅｓｓ  Ｍｅｍｏｒｙ）である。メインメモリは、ＣＰＵ６０１のワークエリアとして使用される。
【００９８】
補助メモリは、例えば磁気ディスク、光ディスク、フラッシュメモリなどの不揮発メモリである。補助メモリには、コンピュータ装置６００を動作させる各種のプログラムが記憶されている。補助メモリに記憶されたプログラムは、メインメモリにロードされてＣＰＵ６０１によって実行される。
【００９９】
ユーザインタフェース６０３は、例えば、ユーザからの操作入力を受け付ける入力デバイスや、ユーザへ情報を出力する出力デバイスなどを含む。入力デバイスは、例えば、タッチパネルやキー（例えばキーボード）やリモコンなどによって実現することができる。出力デバイスは、例えば、タッチパネルやディスプレイやスピーカなどによって実現することができる。ユーザインタフェース６０３は、ＣＰＵ６０１によって制御される。
【０１００】
通信インタフェース６０４は、例えば、無線や有線によってコンピュータ装置６００の外部装置との間で通信を行う通信インタフェースである。通信インタフェース６０４は、ＣＰＵ６０１によって制御される。
【０１０１】
図１に示した、識別部１２１と、制御部１２２とは、メモリ６０２に記憶されたプログラムをＣＰＵ６０１に実行させることにより、その機能を実現する。また、図３に示した、各機能部３０１〜３０７は、メモリ６０２に記憶されたプログラムをＣＰＵ６０１に実行させることにより、また、通信インタフェース６０４の機能により、その機能を実現する。また、図３に示したユーザ情報記憶部３０８は、メモリ６０２によって実現される。
【０１０２】
また、図４に示した各機能部４０１〜４０９は、メモリ６０２に記憶されたプログラムをＣＰＵ６０１に実行させることにより、また、通信インタフェース６０４の機能により、その機能を実現する。また、図４に示した、モビリティ情報記憶部４１０、基地局管理情報記憶部４１１および認証・秘匿情報記憶部４１２は、メモリ６０２によって実現される。
【０１０３】
また、図５に示した各機能部５０１〜５０７は、メモリ６０２に記憶されたプログラムをＣＰＵ６０１に実行させることにより、また、通信インタフェース６０４の機能により、その機能を実現する。また、図５に示した、位置登録情報記憶部５１１、判定情報記憶部５１２および閾値記憶部５１３は、メモリ６０２によって実現される。
【０１０４】
（位置登録情報記憶部が記憶する登録情報の一例）
図７Ａは、位置登録情報記憶部が記憶する登録情報の一例を示す説明図である。図７Ａに示すように、位置登録情報記憶部５１１は、端末番号、登録日時、位置番号、などの各フィールドを有する。これらのフィールドに情報を設定することにより、位置登録情報記憶部５１１には、端末番号、登録日時、位置番号などの組み合わせ毎の登録情報７０１−１〜７０１−５が記憶される。
【０１０５】
端末番号は、端末装置２２０を識別する情報である。登録には、例えば、最古登録と最新登録とがある。最古登録は、例えば、現在の位置情報に変更された日を示す最も古い登録日を示すものであるが、現在の位置情報に変更された日時を示す最も古い登録日時を示すものとしてもよい。また、最新登録は、例えば、現在の位置情報に変更された日時を示す最新の登録日時を示すものであるが、現在の位置情報に変更された日を示す最新の登録日を示すものとしてもよい。位置番号は、端末装置２２０が位置する位置登録エリアを識別する情報である。
【０１０６】
（判定情報記憶部が記憶する登録情報の一例）
図７Ｂは、判定情報記憶部が記憶する登録情報の一例を示す説明図である。図７Ｂに示すように、判定情報記憶部５１２は、位置登録件数５２１と、現在拒否判定値５２２と、の各フィールドを有する。これらのフィールドに情報を設定することにより、判定情報記憶部５１２には、位置登録件数５２１と、現在拒否判定値５２２と、がそれぞれ記憶される。
【０１０７】
位置登録件数５２１は、単位時間当たりの位置登録を行った件数を示す。位置登録判定処理部５０４は、１の端末装置２２０の位置登録を行うと、位置登録件数５２１に１を加算する。現在拒否判定値５２２は、アタッチ要求のあった全ての端末装置２２０の数と、現在拒否している端末装置２２０との比率を示しており、例えば％で表される。
【０１０８】
（無線アクセスシステムが行う位置登録の一例）
図８Ａは、無線アクセスシステムが行う位置登録の一例を示すシーケンス図（その１）である。図８Ｂは、無線アクセスシステムが行う位置登録の一例を示すシーケンス図（その２）である。図８Ａおよび図８Ｂに示すように、端末装置２２０は、電源がＯＮになると、ｅＮｏｄｅＢ２０１およびＭＭＥ２０３を介して、ＨＳＳ２０４に対してアタッチ要求を送信する（ステップＳ８０１）。端末装置２２０がアタッチ要求を行うと、端末装置２２０、ｅＮｏｄｅＢ２０１、ＭＭＥ２０３およびＨＳＳ２０４の間で、それぞれ、認証、秘匿、インテグリティ制御が行われる。
【０１０９】
次に、ＭＭＥ２０３は、ＨＳＳ２０４へ位置登録要求を行う（ステップＳ８０２）。そして、ＨＳＳ２０４は、位置情報を記憶する（ステップＳ８０３）。そして、ＨＳＳ２０４は、位置登録判定処理（図９Ａ，９Ｂ参照）を行う（ステップＳ８０４）。次に、ＨＳＳ２０４は、位置登録判定処理の結果、位置登録を行うか否かを判定する（ステップＳ８０５）。
【０１１０】
位置登録を行わない場合（ステップＳ８０５：Ｎｏ）、ＨＳＳ２０４は、位置登録の拒否を示す位置登録応答をＭＭＥ２０３へ送信する（ステップＳ８０６）。そして、ＭＭＥ２０３は、位置登録の拒否を示すアタッチ応答を端末装置２２０へ送信する（ステップＳ８０７）。そして、端末装置２２０は、一定時間後にアタッチ要求の再送を行い（ステップＳ８０８）、一連の処理を終了する。
【０１１１】
位置登録を行う場合（ステップＳ８０５：Ｙｅｓ）、図８Ｂに示す位置登録シーケンスを行う。位置登録シーケンスにおいて、まず、ＨＳＳ２０４は、ＭＭＥ２０３へ位置登録応答を行う（ステップＳ８０９）。そして、ＭＭＥ２０３は、Ｓ−ＧＷ２０７へベアラ設定要求を行う（ステップＳ８１０）。Ｓ−ＧＷ２０７がＭＭＥ２０３からベアラ設定要求を受信すると、Ｓ−ＧＷ２０７、ＰＣＲＦ２０８、Ｐ−ＧＷ２０９およびＰＤＮ２１０の間でベアラ設定処理を行う（ステップＳ８１１）。
【０１１２】
ベアラ設定処理が行われると、Ｓ−ＧＷ２０７は、ＭＭＥ２０３へベアラ設定応答を送信する（ステップＳ８１２）。ＭＭＥ２０３は、Ｓ−ＧＷ２０７からベアラ設定応答を受信すると、ｅＮｏｄｅＢ２０１へ、アタッチ受け入れを示す無線ベアラ設定要求を送信する（ステップＳ８１３）。ｅＮｏｄｅＢ２０１は、ＭＭＥ２０３からアタッチ受け入れを示す無線ベアラ設定要求を受信すると、端末装置２２０へアタッチ受け入れを示す無線ベアラ設定要求を送信する（ステップＳ８１４）。
【０１１３】
端末装置２２０は、ｅＮｏｄｅＢ２０１からアタッチ受け入れを示す無線ベアラ設定要求を受信すると、無線ベアラ設定応答をｅＮｏｄｅＢ２０１へ送信する（ステップＳ８１５）。ｅＮｏｄｅＢ２０１は、端末装置２２０から無線ベアラ設定応答を受信すると、ＭＭＥ２０３へ、無線ベアラ設定応答を送信する（ステップＳ８１６）。
【０１１４】
また、端末装置２２０は、ＭＭＥ２０３へアタッチ完了を示す信号を送信する（ステップＳ８１７）。ＭＭＥ２０３は、端末装置２２０からアタッチ完了を示す信号を受信すると、Ｓ−ＧＷ２０７にベアラ更新要求を行う（ステップＳ８１８）。Ｓ−ＧＷ２０７がＭＭＥ２０３からベアラ更新要求を受信すると、Ｓ−ＧＷ２０７、ＰＣＲＦ２０８、Ｐ−ＧＷ２０９およびＰＤＮ２１０の間でベアラ更新処理を行う（ステップＳ８１９）。ベアラ更新処理が行われると、Ｓ−ＧＷ２０７は、ＭＭＥ２０３へベアラ更新応答を送信し（ステップＳ８２０）、一連の処理を終了する。
【０１１５】
（位置登録判定部が行う位置登録判定処理の一例）
図９Ａは、位置登録判定部が行う位置登録判定処理の一例を示すフローチャート（その１）である。図９Ｂは、位置登録判定部が行う位置登録判定処理の一例を示すフローチャート（その２）である。図９Ａおよび図９Ｂに示すように、位置登録判定部３２０は、端末装置２２０からアタッチ要求を受信したか否かを判定する（ステップＳ９０１）。アタッチ要求には、端末装置２２０の端末番号や、端末装置２２０が位置するエリアを示す位置番号が含まれる。
【０１１６】
位置登録判定部３２０は、アタッチ要求を受信するまで待機する（ステップＳ９０１：Ｎｏ）。位置登録判定部３２０は、アタッチ要求を受信すると（ステップＳ９０１：Ｙｅｓ）、位置登録情報記憶部５１１に記憶されている位置登録情報の中から、アタッチ要求を行った端末装置２２０を検索する（ステップＳ９０２）。
【０１１７】
次に、位置登録判定部３２０は、位置登録情報記憶部５１１にアタッチ要求を行った端末装置２２０の位置登録情報があるか否かを判定する（ステップＳ９０３）。位置登録情報記憶部５１１にアタッチ要求を行った端末装置２２０の位置登録情報がない場合（ステップＳ９０３：Ｎｏ）、位置登録判定部３２０は、位置登録情報記憶部５１１に位置登録情報を新規に登録する（ステップＳ９０４）。位置登録情報の登録では、端末番号、登録日時（最古登録日時）、位置番号などが登録される。この後、位置登録判定部３２０は、位置登録シーケンスを実施し（ステップＳ９０５）、一連の処理を終了する。
【０１１８】
位置登録情報記憶部５１１にアタッチ要求を行った端末装置２２０の位置登録情報がある場合（ステップＳ９０３：Ｙｅｓ）、アタッチ要求を行った端末装置２２０と位置登録情報との位置番号が一致するか否かを判定する（ステップＳ９０６）。アタッチ要求を行った端末装置２２０と位置登録情報との位置番号が一致しない場合（ステップＳ９０６：Ｎｏ）、位置登録判定部３２０は、位置登録情報を更新し（ステップＳ９０７）、ステップＳ９０５に移行する。この位置登録情報の更新では、例えば、端末番号、最新登録日時、最古登録日時、位置番号などが更新される。
【０１１９】
アタッチ要求を行った端末装置２２０と位置登録情報との位置番号が一致する場合（ステップＳ９０６：Ｙｅｓ）、現在時刻と最新登録時刻との時刻差分が移動なし判定閾値５３１以上であるか否かを判定する（ステップＳ９０８）。移動なし判定閾値５３１は、例えば、予め設定した、分、時間、日などの単位で表すことができる。
【０１２０】
現在時刻と最新登録時刻との時刻差分が移動なし判定閾値５３１未満である場合（ステップＳ９０８：Ｎｏ）、つまり、移動端末である場合、位置登録判定部３２０は、ステップＳ９０７に移行して位置登録情報を更新する。この位置登録情報の更新では、例えば、最新登録日時が更新される。
【０１２１】
ステップＳ９０８において移動なし判定閾値５３１以上である場合（ステップＳ９０８：Ｙｅｓ）、つまり固定端末の場合、位置登録判定部３２０は、単位時間当たりの位置登録件数５２１が単位時間当たりの位置登録規定数５３２以上であるか否かを判定する（ステップＳ９０９）。位置登録規定数５３２は、例えば、１００である。
【０１２２】
単位時間当たりの位置登録件数５２１が単位時間当たりの位置登録規定数５３２未満である場合（ステップＳ９０９：Ｎｏ）、つまり、位置登録シーケンスが集中していない場合、位置登録判定部３２０は、ステップＳ９１０に移行する。ステップＳ９１０において、位置登録判定部３２０は、判定情報記憶部５１２に記憶される位置登録件数５２１を更新し（ステップＳ９１０）、ステップＳ９０７に移行する。この場合のステップＳ９０７における位置登録情報の更新では、例えば、最新登録日時が更新される。
【０１２３】
単位時間当たりの位置登録件数５２１が単位時間当たりの位置登録規定数５３２以上である場合（ステップＳ９０９：Ｙｅｓ）、つまり、位置登録シーケンスが集中している場合、位置登録判定部３２０は、ステップＳ９１１に移行する。ステップＳ９１１では、位置登録判定部３２０は、現在拒否判定値５２２が拒否判定閾値５３３以上であるか否かを判定する（ステップＳ９１１）。拒否判定閾値５３３は、例えば５０％である。
【０１２４】
現在拒否判定値５２２が拒否判定閾値５３３未満である場合（ステップＳ９１１：Ｎｏ）、位置登録判定部３２０は、現在拒否判定値５２２を算出する（ステップＳ９１２）。そして、位置登録判定部３２０は、判定情報記憶部５１２に記憶される現在拒否判定値５２２を更新し（ステップＳ９１３）、ステップＳ９０７に移行する。この場合のステップＳ９０７における位置登録情報の更新では、例えば、最新登録日時が更新される。
【０１２５】
現在拒否判定値５２２が拒否判定閾値５３３以上である場合（ステップＳ９１１：Ｙｅｓ）、位置登録判定部３２０は、現在拒否判定値５２２を算出する（ステップＳ９１４）。そして、位置登録判定部３２０は、現在拒否判定値５２２を更新する（ステップＳ９１５）。次に、位置登録判定部３２０は、位置登録情報を更新する（ステップＳ９１６）。この位置登録情報の更新では、例えば、最新登録日時が更新される。そして、位置登録判定部３２０は、アタッチ要求を行った端末装置２２０へ位置登録拒否通知を送信し（ステップＳ９１７）、一連の処理を終了する。
【０１２６】
以上説明したように、実施の形態によれば、外部電源を用いる固定端末（端末装置２２０）が複数配置される地域において停電が発生し、該停電の解消時に、複数の固定端末からネットワークに接続するための位置登録要求が一斉にコア装置へ送信されることがある。本実施の形態では、固定端末からネットワークへの位置登録要求を所定の確率で拒否することにより、停電後の外部電源の復旧時に、端末装置２２０を通信網に接続する処理を分散させて輻輳を抑えることができる。
【０１２７】
また、本実施の形態では、端末装置２２０は、位置登録判定部３２０によって位置登録要求が拒否された場合に、位置登録判定部３２０（ＨＳＳ２０４）に対して、再度、位置登録要求を行う。このため、位置登録要求が拒否された端末装置２２０についても、ネットワークに接続することができる。
【０１２８】
また、本実施の形態では、単位時間当たりの位置登録件数５２１が位置登録規定数５３２以上の場合に、すなわち、端末装置２２０をネットワークに接続するための位置登録シーケンスが集中している場合には、位置登録を行わないようにすることができる。
【０１２９】
ただし、本実施の形態において、単位時間当たりの位置登録件数５２１が多いほど、拒否判定閾値５３３を高くしてもよい。これにより、端末装置２２０をネットワークに接続するための位置登録シーケンスの集中度合いに応じた拒否判定閾値５３３を用いて、位置登録を行わないようにすることができる。
【０１３０】
また、本実施の形態において、端末装置２２０からの位置登録要求を単位時間当たりに受け付けた回数が所定回数以上の場合に、位置登録要求を拒否してもよい。これにより、停電からの電源復旧時の位置登録要求が多い場合には、端末装置２２０からの位置登録要求を拒否することができる。
【０１３１】
また、本実施の形態において、端末装置２２０位置登録要求を単位時間当たりに受け付けた回数に応じた確率で接続要求を拒否してもよい。これにより、停電からの電源復旧時における接続要求の数に応じた確率で、端末装置２２０からの接続要求を拒否することができる。
【０１３２】
また、本実施の形態では、ＨＳＳ２０４を用いた３．９Ｇまたは４Ｇについて説明したが、３Ｇの場合には、ＳＧＳＮ２０６に位置登録判定部３２０の機能を含ませればよい。これにより、３Ｇの場合についても、本実施の形態と同様の効果を得ることができる。
【０１３３】
（実施の形態の変形例）
次に、実施の形態の変形例について説明する。上述した実施の形態ではＨＳＳ２０４が位置登録判定部３２０を有する場合について説明したが、変形例ではＭＭＥ２０３が位置登録判定部３２０を有する場合について説明する。
【０１３４】
（無線アクセスシステムが行う位置登録の一例）
図１０Ａは、無線アクセスシステムが行う位置登録の変形例を示すシーケンス図（その１）である。図１０Ｂは、無線アクセスシステムが行う位置登録の変形例を示すシーケンス図（その２）である。図１０Ａおよび図１０Ｂに示すように、端末装置２２０は、電源がＯＮになると、ｅＮｏｄｅＢ２０１およびＭＭＥ２０３を介して、ＨＳＳ２０４に対してアタッチ要求を送信する（ステップＳ１００１）。端末装置２２０がアタッチ要求を行うと、端末装置２２０、ｅＮｏｄｅＢ２０１、ＭＭＥ２０３およびＨＳＳ２０４の間で、それぞれ、認証、秘匿、インテグリティ制御が行われる。
【０１３５】
そして、ＭＭＥ２０３は、位置登録判定処理（図９Ａ，９Ｂ参照）を行う（ステップＳ１００２）。次に、ＭＭＥ２０３は、位置登録判定処理の結果、位置登録を行うか否かを判定する（ステップＳ１００３）。
【０１３６】
位置登録を行わない場合（ステップＳ１００３：Ｎｏ）、ＭＭＥ２０３は、位置登録の拒否を示すアタッチ応答を端末装置２２０へ送信する（ステップＳ１００４）。そして、端末装置２２０は、一定時間後にアタッチ要求の再送を行い（ステップＳ１００５）、一連の処理を終了する。
【０１３７】
位置登録を行う場合（ステップＳ１００３：Ｙｅｓ）、ＭＭＥ２０３は、ＨＳＳ２０４へ位置登録要求を行う（ステップＳ１００６）。そして、ＨＳＳ２０４は、位置情報を記憶する（ステップＳ１００７）。次に、ＨＳＳ２０４は、ＭＭＥ２０３へ位置登録応答を行う（ステップＳ８０９）。以降、無線アクセスシステム１００は、図８Ｂに示した動作と同様の位置登録シーケンスを行う。
【０１３８】
なお、変形例において、位置登録の判定においては、ＭＭＥ２０３に含まれる位置登録情報記憶部５１１に記憶される位置登録情報を用いるが、これに限らず、ＨＳＳ２０４に同様の位置登録情報を記憶させ、ＨＳＳ２０４から該位置登録情報を取得してもよい。
【０１３９】
本変形例によれば、実施の形態と同様の効果を得ることができる。このように、位置登録の判定を行う機能部は、ＭＭＥ２０３に含まれていてもよい。また、本変形例では、ＭＭＥ２０３を用いた３．９Ｇまたは４Ｇについて説明したが、３Ｇの場合には、ＲＮＣ２０５に位置登録判定部３２０の機能を含ませればよい。これにより、３Ｇの場合についても、本変形例と同様の効果を得ることができる。
【０１４０】
上述した実施の形態に関し、さらに以下の付記を開示する。
【０１４１】
（付記１）端末と、
前記端末のネットワークへの接続を要求する接続要求を前記端末から受け付けた場合に、前記端末の位置情報に基づいて、前記端末が、前記端末の位置に所定期間変更のない端末（以下「固定端末」と称する）であるか否かを識別し、前記端末が前記固定端末であると識別した場合に、前記接続要求を所定の確率で拒否する固定端末制御装置と、
を有することを特徴とする無線アクセスシステム。
【０１４２】
（付記２）前記端末は、前記接続要求が拒否された場合に、再度、前記接続要求を行うことを特徴とする付記１に記載の無線アクセスシステム。
【０１４３】
（付記３）前記固定端末制御装置は、前記端末を管理するＨＳＳ（Ｈｏｍｅ  Ｓｕｂｓｃｒｉｂｅｒ  Ｓｅｒｖｅｒ）に含まれることを特徴とする付記１または２に記載の無線アクセスシステム。
【０１４４】
（付記４）前記固定端末制御装置は、前記端末を管理するＭＭＥ（Ｍｏｂｉｌｅ  Ｍａｎａｇｅｍｅｎｔ  Ｅｎｔｉｔｙ）に含まれることを特徴とする付記１または２に記載の無線アクセスシステム。
【０１４５】
（付記５）前記固定端末制御装置は、１つ以上の端末から前記ネットワークへの接続を要求する接続要求を所定期間内に受け付け、かつ前記接続要求を拒否しなかった回数が所定回数未満の場合に、前記固定端末であると識別した端末からの接続要求を拒否しないことを特徴とする付記１〜４のいずれか一つに記載の無線アクセスシステム。
【０１４６】
（付記６）前記固定端末制御装置は、１つ以上の端末から前記ネットワークへの接続を要求する接続要求を所定期間内に受け付け、かつ前記接続要求を拒否しなかった回数に応じた前記所定の確率で、前記固定端末であると識別した端末からの接続要求を拒否することを特徴とする付記１〜４のいずれか一つに記載の無線アクセスシステム。
【０１４７】
（付記７）前記固定端末制御装置は、１つ以上の端末から前記ネットワークへの接続を要求する接続要求を所定期間内に受け付けた回数が所定回数未満の場合に、前記固定端末であると識別した端末からの接続要求を拒否しないことを特徴とする付記１〜４のいずれか一つに記載の無線アクセスシステム。
【０１４８】
（付記８）前記固定端末制御装置は、１つ以上の端末から前記ネットワークへの接続を要求する接続要求を所定期間内に受け付けた回数に応じた前記所定の確率で、前記固定端末であると識別した端末からの接続要求を拒否することを特徴とする付記１〜４のいずれか一つに記載の無線アクセスシステム。
【０１４９】
（付記９）端末のネットワークへの接続を要求する接続要求を前記端末から受け付けた場合に、前記端末の位置情報に基づいて、前記端末が、前記端末の位置に所定期間変更のない端末（以下「固定端末」と称する）であるか否かを識別する識別部と、
前記識別部によって前記端末が前記固定端末であると識別された場合に、前記接続要求を所定の確率で拒否する制御部と、
を有することを特徴とする固定端末制御装置。
【符号の説明】
【０１５０】
１００  無線アクセスシステム
１１０  端末
１２０  固定端末制御装置
１２１  識別部
１２２  制御部
１３０  ネットワーク
２０１  ｅＮｏｄｅＢ
２０２  ＮｏｄｅＢ
２０３  ＭＭＥ
２０４  ＨＳＳ
２０５  ＲＮＣ
２０６  ＳＧＳＮ
２０７  Ｓ−ＧＷ
２０８  ＰＣＲＦ
２０９  Ｐ−ＧＷ
２１０  ＰＤＮ
２２０  端末装置
３０１，４０１，５０１  インタフェース管理部
３０２，４０２，５０２  受信データ処理部
３０３，４０３  情報処理部
３０４  ユーザ情報管理部
３０５  認証部
３０６  サービス制御部
３０７，４０９，５０７  送信データ処理部
３０８  ユーザ情報記憶部
３２０  位置登録判定部
４０４  モビリティ情報制御部
４０５  ｅＵＴＲＡＮ制御部
４０６  ハンドオーバ処理部
４０７  音声サービスサポート部
４０８  認証・秘匿部
４１０  モビリティ情報記憶部
４１１  基地局管理情報記憶部
４１２  認証・秘匿情報記憶部
５０３  時刻管理処理部
５０４  位置登録判定処理部
５０５  位置登録履歴情報処理部
５０６  閾値管理部
５１１  位置登録情報記憶部
５１２  判定情報記憶部
５１３  閾値記憶部
５１４  時計
６００  コンピュータ装置
６０１  ＣＰＵ
６０２  メモリ
６０３  ユーザインタフェース
６０４  通信インタフェース
【国際調査報告】
2016084135.tif 000017
2016084135.tif 000018